(57)【要約】【課題】ユーザに使い勝手を向上したエフェクト・スイッチャを提供する。【解決手段】マルチ・ビュー・プロセッサに送信する複数の第１のビデオ信号を光多重信号として出力する出力端子を備える。例えば、マルチ・ビュー・プロセッサに送信する単一の第２のビデオ信号を出力する出力端子と、光多重信号に、第１のビデオ信号のそれぞれによる画像が表示される一画面中における単一の第２のビデオ信号による画像の表示領域を指定する情報を挿入する情報挿入部をさらに備える。【選択図】図２
2017118289.tif 000002
【特許請求の範囲】
【請求項１】
マルチ・ビュー・プロセッサに送信する複数の第１のビデオ信号を光多重信号として出力する出力端子を備える
エフェクト・スイッチャ。
【請求項２】
上記マルチ・ビュー・プロセッサに送信する単一の第２のビデオ信号を出力する出力端子と、
上記光多重信号に、上記第１のビデオ信号のそれぞれによる画像が表示される一画面中における上記単一の第２のビデオ信号による画像の表示領域を指定する情報を挿入する情報挿入部をさらに備える
請求項１に記載のエフェクト・スイッチャ。
【請求項３】
上記マルチ・ビュー・プロセッサは、
上記光多重信号を入力する入力端子と、
緊急時用のビデオ信号を入力する入力端子と、
切り替え指示を受ける制御端子を備え、
上記切り替え指示により、上記光多重信号から得られる複数の第１のビデオ信号のそれぞれによる画像を画面に同時に表示する第１のモードと、上記緊急時用のビデオ信号による画像を画面に表示する第２のモードを切り替える
請求項１に記載のエフェクト・スイッチャ。
【請求項４】
外部からビデオ信号を入力する複数のビデオ入力回路と、
複数の内部バスと、
上記複数のビデオ入力回路から１つを選択して上記複数の内部バスのそれぞれへ接続する選択回路と、
上記複数の内部バスからビデオ信号を受けるスーパーインポーズ回路と、
上記複数の内部バスのそれぞれに対応して、上記複数のビデオ入力回路のそれぞれに付与されている入力識別子とボタン番号との対応付けを記憶するテーブルと、
所定の内部バスについてボタン操作されるとき、上記テーブルを参照して、操作されたボタンのボタン番号に対応した入力識別子を得、該入力識別子に対応したビデオ入力回路が上記所定の内部バスに接続されるように上記選択回路を制御する選択制御回路をさらに備える
請求項１に記載のエフェクト・スイッチャ。
【請求項５】
上記テーブルを編集するためのユーザインタフェース画面を表示する表示制御部と、
上記ユーザインタフェース画面上で入力識別子とボタン番号とを対応付ける操作を受けて上記テーブルを更新するテーブル編集部をさらに備える
請求項４に記載のエフェクト・スイッチャ。
【請求項６】
上記表示制御部は、
上記ユーザインタフェース画面において、上記入力識別子はグループ毎に分けて表示される
請求項５に記載のエフェクト・スイッチャ。
【発明の詳細な説明】
【技術分野】
【０００１】
本技術は、スタジオなどで使用されるエフェクト・スイッチャに関する。
【背景技術】
【０００２】
従来、番組制作時や放送時には、エフェクト・スイッチャ（effect switcher, vision mixer or production switcher）と呼ばれる画像特殊効果装置を用いて、画像を切り替えること、キーイングにより、画像に字幕を重畳すること、あるいは、画面の一部に別の子画面を配置すること等が行われている。例えば、特許文献１には、エフェクト・スイッチャの一例が記載されている。
【先行技術文献】
【特許文献】
【０００３】
【特許文献１】特開２０１０−１０３９６０号公報
【発明の概要】
【発明が解決しようとする課題】
【０００４】
本技術の目的は、ユーザに使い勝手を向上したエフェクト・スイッチャを提供することにある。
【課題を解決するための手段】
【０００５】
本技術の概念は、
マルチ・ビュー・プロセッサに送信する複数の第１のビデオ信号を光多重信号として出力する出力端子を備える
エフェクト・スイッチャにある。
【０００６】
本技術においては、マルチ・ビュー・プロセッサに送信する複数の第１のビデオ信号を光多重信号として出力する出力端子が備えられる。そのため、マルチ・ビュー・プロセッサに複数の第１のビデオ信号を供給することを効率的に行い得る。
【０００７】
なお、本技術において、例えば、マルチ・ビュー・プロセッサに送信する単一の第２のビデオ信号を出力する出力端子と、光多重信号に、第１のビデオ信号のそれぞれによる画像が表示される一画面中における単一の第２のビデオ信号による画像の表示領域を指定する情報を挿入する情報挿入部をさらに備える、ようにされてもよい。これにより、第１のビデオ信号のそれぞれによる画像が表示される一画面中における単一の第２のビデオ信号による画像の表示領域をマルチ・ビュー・プロセッサに対して容易かつ簡単に指定可能となる。
【０００８】
また、本技術において、例えば、マルチ・ビュー・プロセッサは、光多重信号を入力する入力端子と、緊急時用のビデオ信号を入力する入力端子と、切り替え指示を受ける制御端子を備え、切り替え指示により、光多重信号から得られる複数の第１のビデオ信号のそれぞれによる画像を画面に同時に表示する第１のモードと、緊急時用のビデオ信号による画像を画面に表示する第２のモードを切り替える、ようにされてもよい。
【０００９】
また、本技術において、外部からビデオ信号を入力する複数のビデオ入力回路と、複数の内部バスと、複数のビデオ入力回路から１つを選択して複数の内部バスのそれぞれへ接続する選択回路と、複数の内部バスからビデオ信号を受けるスーパーインポーズ回路と、複数の内部バスのそれぞれに対応して複数のビデオ入力回路のそれぞれに付与されている入力識別子とボタン番号との対応付けを記憶するテーブルと、ある内部バスについてボタン操作されるとき、テーブルを参照して、操作されたボタンのボタン番号に対応した入力識別子を得、この入力識別子に対応したビデオ入力回路が当該ある内部バスに接続されるように選択回路を制御する選択制御回路をさらに備える、ようにされてもよい。
【００１０】
この場合、例えば、テーブルを編集するためのユーザインタフェース画面を表示する表示制御部と、ユーザインタフェース画面上で入力識別子とボタン番号とを対応付ける操作を受けてテーブルを更新するテーブル編集部をさらに備える、ようにされてもよい。例えば、ユーザインタフェース画面において、入力識別子はグループ毎に分けて表示される、ようにされてもよい。この場合、ユーザはテーブル編集をユーザインタフェース画面上で効率よく行い得る。
【発明の効果】
【００１１】
本技術によれば、ユーザに使い勝手を向上したエフェクト・スイッチャを提供できる。なお、ここに記載された効果は必ずしも限定されるものではなく、本開示中に記載されたいずれかの効果であってもよい。
【図面の簡単な説明】
【００１２】
【図１】放送局内の装置等からなる放送システムの構成例を示すブロック図である。
【図２】セクタ内におけるビデオ信号系統の接続例を示すブロック図である。
【図３】セクタ内におけるビデオ信号系統の他の接続例を示すブロック図である。
【図４】ビデオクリップファイルの保管場所、ファイル転送、ビデオ伝送等について説明するための図である。
【図５】クリップ・ストレージ・ボードの構成例を示すブロック図である。
【図６】ビジョン・ミキサ・メイン・フレームのビデオ・ミキシング回路の内部をビデオ信号系統で見たブロック図である。
【図７】Ｍ/Ｅバンクの構成例を示す図である。
【図８】ビジョン・ミキサ・メイン・フレームの筐体背面の一例を示す図である。
【図９】Ｍ/Ｅブロックにおける入力アサインテーブル（テーブル１、テーブル２）の一例を示す図である。
【図１０】コントロール・パネルにおけるＧＵＩ画面の一つとしてのテーブル２の編集画面の一例を示す図である。
【図１１】編集画面の右表の「Input Selection」においてスクロール操作をした状態を示す図である。
【図１２】編集画面の右表の「Input Selection」の他の表示例を示す図である。
【図１３】ジョン・ミキサ・メイン・フレームの出力端子（ＳＤＩコネクタ、光コネクタ）のそれぞれに内部回路のどの信号を出力するかを決める出力アサインテーブルの一例を示す図である。
【図１４】コントロール・パネルにおけるＧＵＩ画面の一つとしての出力アサインテーブルの編集画面の一例を示す図である。
【図１５】出力アサインテーブルの編集画面の他の例を示す図である。
【図１６】マルチ・ビューワ・プロセッサによるディスプレイの表示構成の一例を示す図である。
【図１７】エマージェンシー・オペレーションにおけるディスプレイの表示構成の一例を示す図である。
【図１８】ビジョン・ミキサ・コントローラにおけるイマージェンシー・オペレーションへの切り替え時の処理手順の一例を示すフローチャートである。
【図１９】ビジョン・ミキサ・コントローラにおけるイマージェンシー・オペレーションから通常稼働への切り替え時の処理手順の一例を示すフローチャートである。
【図２０】コントロール・パネル、あるいはＧＵＩパネルで表示・操作できる画面（ＧＵＩ画面）について説明するための図である。
【図２１】セレクト・ダイアログ・ボックスの一例を示す図である。
【図２２】ディレクトリを開いた状態の一例を示す図である。
【図２３】ディレクトリを開いた状態の一例を示す図である。
【図２４】コントロール・パネルにおけるクリップ・ストレージ・ボードのストレージの内容表示の動作手順の一例を示すフローチャートである。
【図２５】コントロール・パネルにおけるリソース・シェア時の出力アサインを組ごとに行うためのＧＵＩ画面の一例を示す図である。
【図２６】「Select M/E」のボタンが押下された場合のＧＵＩ画面の一例を示す図である。
【図２７】「Select In」のボタンが押下された場合のＧＵＩ画面の一例を示す図である。
【図２８】手術室システムの全体構成を概略的に示す図である。
【図２９】集中操作パネルにおける操作画面の表示例を示す図である。
【図３０】手術室システムが適用された手術の様子の一例を示す図である。
【図３１】図３０に示すカメラヘッド及びＣＣＵの機能構成の一例を示すブロック図である。
【発明を実施するための形態】
【００１３】
以下、発明を実施するための形態（以下、「実施の形態」とする）について説明する。なお、説明は以下の順序で行う。
１．実施の形態
２．変形例
３．応用例
【００１４】
＜１．実施の形態＞
［放送システムの構成］
図１は、放送局内の装置等からなる放送システム１０の構成例を示している。図示の例においては、主として、制御系およびファイル転送系を示している。接続線は、ネットワークを示している。この放送システム１０は、複数、この実施の形態では３つのセクタ（Sector）１０１と、グローバル・メンテナンス・センタ（Global Maintenance Center）１０２と、（System Maintenance Computer）１０３と、リモート・ターミナル（Remote Terminal）１０４と、システム・ゲートウェイ（System Gateway）１０５と、エクスターナル・システム（External System）１０６と、エフェクト・サーバ（effect Server）１０７と、ビデオ・サーバ（Video Server）１０８などを有している。
【００１５】
セクタ１０１は、例えば、スタジオおよびその調整室（Control Room）の一つの組み合わせに対応する部分システムである。セクタ１０１の外部にある機器は、例えば、各スタジオで共通に使用される機器である。
【００１６】
グローバル・メンテナンス・センタ１０２は、建物外の遠隔地の保守センタであり、ＷＡＮ（Wide Area Network）経由で、放送局内の機器と通信する。このグローバル・メンテナンス・センタ１０２は、各機器の稼働状態、ログ、エラー情報などを常時監視する。システム・メンテナンス・コンピュータ１０３は、放送局内で機器の監視を行うコンピュータであり、稼働状態などのログ記録、エラーの監視と報知、 グローバル・メンテナンス・センタ１０２との通信などを行う。
【００１７】
セクタ１０１は、イマージェンシー・スイッチ（Emergency Switch）１１１と、マルチ・ビューワ・プロセッサ（Multi Viewer Processor）１１２と、ビジョン・ミキサ・メイン・フレーム（Vision Mixer Main Frame）１１３と、ビデオ・プロセッサ（Video Processor）１１４と、ビジョン・ミキサ・コントローラ（Vision Mixer Controller）１１５と、コントロール・パネル（Control Panel）１１６と、ＧＵＩ・パネル（GUI Panel）１１７を有している。
【００１８】
ビジョン・ミキサ・コントローラ１１５は、エフェクト・スイッチャ本体を構成するビジョン・ミキサ・メイン・フレーム１１３内のマイクロコンピュータと通信をして制御を行う。また、ビジョン・ミキサ・コントローラ１１５は、イマージェンシー・スイッチ１１１、マルチ・ビューワ・プロセッサ１１２およびビデオ・プロセッサ１１４とも、それぞれの内蔵マイクロコンピュータと通信をして制御を行う。
【００１９】
コントロール・パネル１１６は、物理的な操作卓と、ＧＵＩのＵＩを備えた操作部であり、内蔵マイクロコンピュータは、ビジョン・ミキサ・コントローラ１１５と通信をして、制御コマンドの送受信などを行う。また、その内蔵マイクロコンピュータは、イマージェンシー・スイッチ１１１と通信をして、イマージェンシー・スイッチ１１１を直接制御する。ＧＵＩ・パネル１１７は、ＧＵＩのＵＩのみを備え、コントロール・パネル１１６の機能の一部を提供する。
【００２０】
イマージェンシー・スイッチ１１１は、ビデオ信号の切り替えのみを行う。このイマージェンシー・スイッチ１１１は、複数のビデオ信号のＳＤＩ入力と複数のビデオ信号のＳＤＩ出力を有する。なお、このイマージェンシー・スイッチ１１１は、ＩＰビデオ伝送のインタフェース（I/F）を備える構成であってもよい。このイマージェンシー・スイッチ１１１におけるビデオ信号の切り替えは、垂直ブランキング区間（フレームもしくはフィールドの境界）で行われ、出力ビデオを表示させていても画像に乱れが発生することはない。
【００２１】
リモート・ターミナル１０４は、システム・メンテナンス・コンピュータ１０３およびビジョン・ミキサ・コントローラ１１５、エフェクト・サーバ１０７、ビデオ・サーバ１０８等と通信をして、ＵＩを提供する端末機器である。エフェク・サーバ１０７は、ビジョン・ミキサ・メイン・フレーム１１３で行わせるビデオ信号処理（切り替え、合成、加工）の処理内容を記述したプログラム（時系列の処理を含む）を複数保持するサーバであり、当該プログラムを各セクタ１０１のビジョン・ミキサ・コントローラ１１５に提供する。プログラムの内容は、公知のエフェクト・スイッチャで動作するビデオ信号処理状態および時系列動作である。
【００２２】
システム・ゲートウェイ１０５は、ＷＡＮと接続してエクスターナル・システム（外部システム）１０６と通信をし、例えば、ビデオクリップファイルやプログラムの送受信を行う。ビデオ・サーバ１０８は、ネットワークを介して、ビジョン・ミキサ・コントローラ１１５とビデオクリップファイルの送受信を行う。また、ビデオ・サーバ１０８は、ビジョン・ミキサ・コントローラ１１５などから指示を受ける。コントロール・パネル１１６は、ユーザの操作を受けて、ビデオ・サーバ１０８に対する指示を、ビジョン・ミキサ・コントローラ１１５経由で送信する。また、コントロール・パネル１１６は、ビデオ・サーバ１０８のファイルリストなどの情報を、ビジョン・ミキサ・コントローラ１１５経由で受け取り表示する。
【００２３】
図２は、上述のセクタ１０１内におけるビデオ信号系統の接続例を示している。このビデオ信号系統の接続例では、上述したビジョン・ミキサ・メイン・フレーム１１３、イマージェンシー・スイッチ１１１、ビデオ・プロセッサ１１４が存在する。
【００２４】
また、このビデオ信号系統の接続例では、ＷＤＭ光電変換器（WDM O/E）１２１と、カメラ（Camera）１２２と、ビデオ・サーバ（Video server）１２３と、ネットワーク・スイッチングハブ（Network Switching Hub）１２４，１２５と、電光変換器（E/O）１２６と、ブロードキャスト・マスタ・システム（Broadcast Master System）１２７と、ディスプレイ（Display）１２８が存在する。
【００２５】
また、ビジョン・ミキサ・メイン・フレーム１１３は、ビデオ・ミキシング回路（Video Mixing Circuit）１３１の他に、ＩＰ-ＳＤＩ入力部（IP SDI In）１３２と、ＩＰ-Ｓｙｎｃ入力部（IP Sync In）１３３と、ＩＰ-ＳＤＩ出力部（IP SDI Out）１３４と、ＩＰ-Ｓｙｎｃ出力部（IP Sync In）１３５と、ＷＤＭ電光変換器（WDM O/E）１３６，１３７を備えている。
【００２６】
ＷＤＭ光電変換器１２１は、サーバ、カメラ等から送られてくる光信号（光波長多重通信信号）を受け取り、複数の電気的なＳＤＩビデオ信号に変換し、ビデオ・ミキサ・メイン・フレーム１１３のビデオ・ミキシング回路１３１、イマージェンシー・スイッチ１１１、ビデオ・サーバ１２３などに供給する。カメラ１２２は、外部のカメラであり、ＳＤＩビデオ信号を、ビデオ・ミキサ・メイン・フレーム１１３のビデオ・ミキシング回路１３１に供給する。
【００２７】
ネットワーク・スイッチングハブ１２４，１２５は、ネットワーク（例：10GBASE-T、10GBASE-SR）の中継を行う機器である。ビデオ・サーバ１２３は、ビデオクリップ（ファイル）を保持するサーバである。このビデオ・サーバ１２３は、ネットワーク・インタフェース（Network I/F）の他に、ＳＤＩビデオ信号の入出力端子を有する。
【００２８】
ビデオ・プロセッサ１１４は、ビデオ信号に加工処理を行ったり、コンピュータ・グラフィック画像を生成したりする機器である。このビデオ・プロセッサ１１４は、ネットワーク・インタフェース（Network I/F）の他に、ＳＤＩビデオ信号の入出力端子を有する。ビデオ・サーバ１２３やビデオ・プロセッサ１１４が接続されているネットワークは、ビデオクリップ伝送などのためにＷＡＮにより外部に接続される。
【００２９】
イマージェンシー・スイッチ１１１は、緊急時用のビデオ信号切り替え装置である。ＷＤＭ光電変換器１２１から“Emergency In”として複数のビデオ信号の入力を受けると共に、ビジョン・ミキサ・メイン・フレーム１１３のビデオ・ミキシング回路１３１からのＰＧＭビデオ信号を受ける。
【００３０】
イマージェンシー・スイッチ１１１は、通常時は、ビデオ・ミキシング回路１３１からのビデオ信号を出力し、そのビデオ信号を、マルチ・ビューワ・プロセッサ１１２に供給すると共に、電光変換器１２６で電気信号から光信号に変換してブロードキャスト・マスタ・システム１２７に供給する。
【００３１】
また、イマージェンシー・スイッチ１１１は、緊急時は、ビジョン・ミキサ・コントローラ１１５、あるいはコントロール・パネル１１６（図１参照）などからの「緊急（モード）指示」を受けると、“Emergency In”として入力される複数のビデオ信号のうちの一つを選択して出力し、そのビデオ信号を、マルチ・ビューワ・プロセッサ１１２に供給すると共に、電光変換器１２６で電気信号から光信号に変換してブロードキャスト・マスタ・システム１２７に供給する。“Emergency In”として入力される複数のビデオ信号のうちのいずれを選択するかは、ビジョン・ミキサ・コントローラ１１５、あるいはコントロール・パネル１１６などからのコマンドに従う。
【００３２】
ブロードキャスト・マスタ・システム１２７は、放送電波出力にビデオ信号を供給するシステムである。マルチ・ビューワ・プロセッサ１１２は、複数のビデオ信号を受け、大画面高解像度のディスプレイ１２８に多数のビデオ画枠を表示するように、ビデオ信号を供給する。入力された複数のビデオ信号をどのような画面に構成するかは、マルチ・ビューワ・プロセッサ１１２が、設定を記憶しており、それに従い処理を行っている。
【００３３】
マルチ・ビューワ・プロセッサ１１２は、イマージェンシー・スイッチ１１１から出力ビデオ信号を受け取る。また、マルチ・ビューワ・プロセッサ１１２は、ビジョン・ミキサ・メイン・フレーム１１３のビデオ・ミキシング回路１３１からＰＧＭビデオ信号を受け取る。さらに、マルチ・ビューワ・プロセッサ１１２は、ビジョン・ミキサ・メイン・フレーム１１３から複数のビデオ信号を含む光信号を受け取る。なお、光信号の含むビデオ信号の中に、ＰＧＭビデオ信号を含んでも良い。
【００３４】
ビジョン・ミキサ・メイン・フレーム１１３は、エフェクト・スイッチャ本体を構成している。ＩＰ-ＳＤＩ入力部１３２は、ネットワークから入力されるＳＤＩビデオ信号のＩＰパケット列を受け取り、デパケット化してＳＤＩビデオ信号を取り出し、ビデオ・ミキシング回路１３１に供給する。
【００３５】
ＩＰ-Ｓｙｎｃ入力部１３３は、ネットワークから入力されるリファレンスに同期したビデオ信号のＩＰパケット列を受け取り、デパケット化してリファレンスに同期したビデオ信号を取り出し、ビデオ・ミキシング回路１３１に供給する。
【００３６】
このようにリファレンス信号はネットワーク経由で供給され、ビジョン・ミキサ・メイン・フレーム１１３、従ってビデオ・ミキシング回路１３１は、そのリファレンス信号に同期して動作する。なお、ビジョン・ミキサ・メイン・フレーム１１３は、別途の配線でリファレンス信号の供給を受けるようにしてもよい。
【００３７】
ビデオ・ミキシング回路１３１は、電気的なビデオ信号の入出力を有し、ビデオ信号の切り替えや合成処理などを行う、ビジョン・ミキサ・メイン・フレーム１１３の信号処理機能部分である。このビデオ・ミキシング回路１３１の詳細については、後述する。
【００３８】
ＷＤＭ電光変換器１３６，１３７は、ビデオ・ミキシング回路１３１から出力される電気的なＳＤＩビデオ信号を光信号（光波長多重通信信号）に変換する。ＷＤＭ電光変換器１３６は、得られた光信号を、ビジョン・ミキサ・メイン・フレーム１１３の光コネクタ（例えばＱＳＦＰ＋）を通じて、マルチ・ビューワ・プロセッサ１１２に供給する。また、ＷＤＭ電光変換器１３７は、得られた光信号を、ビジョン・ミキサ・メイン・フレーム１１３の光コネクタを通じて、モニタ（表示器）やサーバに供給する。
【００３９】
ＩＰ-ＳＤＩ出力部１３４は、ビデオ・ミキシング回路１３１から出力されるＳＤＩビデオ信号をＩＰパケット列に変換し、ネットワークに出力する。ＩＰ-Ｓｙｎｃ出力部１３５は、ビデオ・ミキシング回路１３１から出力されるＳＤＩビデオ信号をリファレンスに同期したＩＰパケット列に変換して、ネットワークに出力する。
【００４０】
図３は、上述のセクタ１０１内におけるビデオ信号系統の接続の他の一例を示している。この図３において、図２と対応する部分には同一符号を付し、その説明は省略する。このビデオ信号系統の接続例では、ＩＰ-ＳＤＩ出力部（IP SDI Out）１４１と、ネットワーク・スイッチングハブ（Network Switching Hub）１４２と、ＩＰ-ＳＤＩ入力部（IP SDI In）１４３が存在する。
【００４１】
ＩＰ-ＳＤＩ出力部（IP SDI Out）１４１は、ＷＤＭ光電変換器１２１で得られる複数の電気的なＳＤＩビデオ信号をＩＰパケット列に変換し、ネットワークに出力する。ＩＰ-ＳＤＩ入力部１４３は、ビジョン・ミキサ・コントローラ１１５、あるいはコントロール・パネル１１６（図１参照）などの制御を受けて、ネットワークから一つのＳＤＩビデオ信号のＩＰパケット列を受け取り、デパケット化してＳＤＩビデオ信号を取り出し、イマージェンシー・スイッチ１１１に供給する。
【００４２】
図４を用いて、ビデオクリップファイルの保管場所、ファイル転送、ビデオ伝送等について説明する。この図４において、図１と対応する部分には同一符号を付して示している。ビジョン・ミキサ・メイン・フレーム１１３には、クリップ・ストレージ・ボード１５１が存在する。このクリップ・ストレージ・ボード１５１は、ストレージ（Ａ）１５１ａと、ビデオ・フレーム・メモリ（Video Frame Memory）１５１ｂを有している。
【００４３】
ストレージ（Ａ）１５１ａは、ＨＤＤ（hard disk drive）あるいはＳＳＤ（solid state drive）で構成される。ビデオ・フレーム・メモリ１５１ｂは、ビデオクリップを保持するメモリである。クリップ・ストレージ・ボード１５１で保持されるビデオクリップは、ビデオ信号として出力される。
【００４４】
図５は、クリップ・ストレージ・ボード１５１の構成例を示している。クリップ・ストレージ・ボード１５１は、上述したストレージ１５１ａおよびビデオ・フレーム・メモリ１５１ｂの他に、マイクロコンピュータ（Computer）１５１ｃと、ビデオ出力回路（Video Output Circuit）１５１ｄを有している。
【００４５】
マイクロコンピュータ１５１ｃは、クリップ・ストレージ・ボード１５１の各部の動作を制御するものであり、例えば、メモリとしてデータ処理効率の高いＤＤＲ（Double Data Rate）方式を採用するものである。マイクロコンピュータ１５１ｃとストレージ１５１ａは、例えば、ＳＡＴＡ２（Serial ATA 2.0）で接続されている。
【００４６】
また、マイクロコンピュータ１５１ｃとビデオ・フレーム・メモリ１５１ｂは、例えば、ＰＣＩｅ（PCI Express）で接続されている。ビデオ・フレーム・メモリ１５１ｂで保持されているビデオクリップは、ビデオ出力回路１５１ｄからビデオ信号として出力される。
【００４７】
クリップ・ストレージ・ボード１５１のマイクロコンピュータ１５１ｃは、ストレージ（Ａ）１５１ａから読み出したビデオクリップ（静止画すなわち一フレームのデータか、動画すなわちフレーム列のデータ）をビデオ・フレーム・メモリ１５１ｂに書き込み、 ビジョン・ミキサ・コントローラ１１５からの指示を受けて、このビデオ・フレーム・メモリ１５１ｂから静止画あるいは動画のビデオ信号をリファレンス信号に同期して出力させる。
【００４８】
また、クリップ・ストレージ・ボード１５１のマイクロコンピュータ１５１ｃは、外部から転送されてくるビデオクリップを受け取って、ストレージ（Ａ）１５１ａに書き込む。また、クリップ・ストレージ・ボード１５１のマイクロコンピュータ１５１ｃは、ストレージ（Ａ）１５１ａのビデオクリップの保持内容を読み取り、ビデオクリップのリストを外部に応答したり、ビデオクリップを外部に転送したりする。
【００４９】
ビジョン・ミキサ・コントローラ１１５は、ＨＤＤあるいはＳＳＤで構成されるストレージ（Ｂ）１１５ａを有し、クリップ・ストレージ・ボード１５１およびビデオ・サーバ１０８等との間で、ビデオクリップ（ビデオファイル）の送受信を行う。ビジョン・ミキサ・コントローラ１１５は、ビジョン・ミキサ・メイン・フレーム１１３を制御し、その中のクリップ・ストレージ・ボード１５１も制御する。
【００５０】
ビデオ・サーバ１０８は、ＨＤＤあるいはＳＳＤで構成されるストレージ（Ｃ）１０８ａと、ビデオ回路１０８ｂを有する。ビデオ回路１０８ｂは、ストレージ（Ｃ）１０８ａの中のビデオクリップをビデオ信号として出力する回路である。ビデオクリップをビデオ信号として出力する際には、事前に準備の指示を受け、ビデオ信号として連続出力する準備を行い、準備が終わると、次に来る出力開始コマンドに対して遅延なくビデオ信号出力を開始する。このような準備は、ビデオ・サーバ技術として既知である。
【００５１】
ビデオ・サーバ１０８は、ビジョン・ミキサ・コントローラ１１５等から指示を受け、ストレージ（Ｃ）１０８ａに保持するビデオクリップ（ビデオファイル）およびそのリストをビジョン・ミキサ・コントローラ１１５等に送信し、あるいは逆に受信する。
【００５２】
ビジョン・ミキサ・コントローラ１１５は、受信したビデオファイルを、ストレージ（Ｂ）１１５ａに書き込むか、あるいはクリップ・ストレージ・ボード１５１のストレージ（Ａ）１５１ａに書き込ませる。この場合、ビデオ・フレーム・メモリ１５１ｂのみに書いて、ストレージ（Ａ）１５１ａには書かない動作も可能である。これらは操作者の操作および事前設定による。
【００５３】
ビデオ・サーバ１０８のビデオ回路１０８ｂから出力されるＳＤＩビデオ信号は、ビジョン・ミキサ・メイン・フレーム１１３に入力（Input）として入り、使用され得る。ビジョン・ミキサ・メイン・フレーム１１３は、入力されたビデオ信号を元にしたビデオ信号、あるいはクリップ・ストレージ・ボード１５１等の内部から発生したビデオ信号を元にしたビデオ信号を、外部に出力する。
【００５４】
図６は、ビジョン・ミキサ・メイン・フレーム１１３のビデオ・ミキシング回路１３１（図２、図３参照）の内部をビデオ信号系統で見たブロック図である。入力ブロック（Input Block）２０１は、カメラ１２２からのビデオ信号、ＷＤＭ光電変換器１２１、ＩＰ-ＳＤＩ入力部１３２、ＩＰ-Ｓｙｎｃ入力部１３３などで得られたビデオ信号を受け取る部分であり、ビデオ信号の遅延調整を行う回路および内部形式に変換する回路などをまとめて示す。
【００５５】
出力ブロック（Output Block）２０２は、ＷＤＭ電光変換器１３６，１３７、ＩＰ-ＳＤＩ出力部１３４、ＩＰ-Ｓｙｎｃ出力部１３５などに供給するビデオ信号を出力する部分であり、ビデオ信号の遅延調整を行う回路、アンシラリ（Ancillary）情報を付加する回路、形式変換する回路などをまとめて示す。
【００５６】
一点鎖線で囲む部分は、ビデオ・クロスポイント（Video Xpt）を示している。図示の状態では、上側から供給されるビデオ信号を縦の線で示し、左側に供給するビデオ信号を横の線で示す。横の線と縦の線が重なる箇所に“ｘ”マークが有り、選択可能な交点（クロスポイント）を示す。横の線、すなわち内部バス毎に、いずれか一つの縦の線が示す入力ビデオ信号を選択して受ける選択機能を有する（横長破線枠参照）。
【００５７】
なお、「ClipStorage In Video Xpt」、「CG Render In Video Xpt」、「CCR In Video Xpt」、「M/E In Video Xpt 1」〜「M/E In Video Xpt 4」の矩形は、それぞれ、内部の図示を省略するが、複数の内部バスが存在し、それぞれの内部バスがいずれか一つの入力ビデオ信号を受け取るように制御される。これらの制御は、ビジョン・ミキサ・メイン・フレーム１１３内のマイクロコンピュータにより、あるいはさらにビジョン・ミキサ・コントローラ１１５のコンピュータにより制御されている。
【００５８】
「ClipStorage」は、上述のクリップ・ストレージ・ボード１５１に対応し、「ClipStorage In Video Xpt」からの内部バスで供給されるビデオ信号を記憶し、記憶されているビデオフレーム（一つまたは列）を、複数の出力バス２０３から出力する。
【００５９】
「CG Render」は、コンピュータ・グラフィクス（Computer Graphics）の処理を行う回路であり、「CG Render In Video Xpt」からの内部バスで供給されるビデオ信号を利用し、コンピュータ・グラフィクス・ビデオ信号をリファレンス信号に同期して生成し、複数の出力バス２０４から出力する。
【００６０】
「CCR」は、カラーコレクション回路であり、「CCR In Video Xpt」からの内部バスで供給されるビデオ信号に対して色調整を行い、複数の出力バス２０５から出力する。この「CCR」における遅延は、1走査線の時間に満たない。
【００６１】
「M/E Block 1」〜「M/E Block 4」は、それぞれ、M/E In Video Xpt 1」〜「M/E In Video Xpt 4」からの内部バスで供給されるビデオ信号を処理し、複数の出力バス２０６〜２０９から出力する。Ｍ/Ｅブロック（「M/E Block 1」〜「M/E Block 4」）の詳細については、後述する。
【００６２】
「Reentry Wirings」は、出力バス２０３〜２０９のそれぞれ複数（図示では一部省略している）の、ブロック内部からのビデオ信号を、ビデオ・クロスポイントへの入力としてそれぞれ配線する回路構造をまとめて示したものである。ＯＵＴ１、ＯＵＴ２，・・・は、外部への出力ポートを示し、一つ一つがビデオ信号を出力するラインである。この先で光信号に変換される際には複数が一つにまとめられる。
【００６３】
図７は、Ｍ/Ｅバンクの構成例を示している。Ｍ/Ｅバンクは、ビデオ・クロスポイント（M/E In Video Xpt）と、Ｍ/Ｅブロック（M/E Block）とからなる。Ｍ/Ｅブロックは、画像合成を行う回路ブロックである。このＭ/Ｅブロックは、複数のキー・プロセッサ（キー画像加工部）、ここでは４つのキー・プロセッサ５１と、ミキサ（合成処理部）５５と、複数のビデオ・プロセッサ（ビデオ加工部）、ここでは３つのビデオ・プロセッサ６１からなっている。キー・プロセッサ５１とミキサ５５は、スーバーインポーズ回路を構成している。
【００６４】
ビデオ・クロスポイントは、入力選択部であり、入力ビデオ信号のそれぞれを、キーソースバス１１ａとキーフィルバス１１ｂの４つの対と、背景Ａバス１３ａ、背景Ｂバス１３ｂおよび予備入力バス１４に、選択的に供給する。キーフィルバス１１ｂのキーフィル信号は、背景画像に前景として重ねる画像の信号であり、キーソースバス１１ａのキーソース信号は、キーフィル信号を重ねる領域、背景画像を切り抜く形状、背景画像に対するキーフィル信号の濃度等を指定する信号である。
【００６５】
背景Ａバス１３ａに取り出された背景Ａ信号は、ビデオ・プロセッサ６１を介してミキサ５５に送られる。また、背景Ｂバス１３ｂに取り出された背景Ｂ信号は、ビデオ・プロセッサ６１を介してミキサ５５に送られる。また、予備入力バス１４に取り出された予備入力信号は、ビデオ・プロセッサ６１を介してミキサ５５に送られる。
【００６６】
キー・プロセッサ５１は、キーフィル信号およびキーソース信号を、キーイングを行うための各種のパラメタであるキー調整値に基づき、キーイングに適するように調整・加工する回路である。キー調整値は、以下のような値である。すなわち、背景画像に対するキーフィル信号の濃度を調整する値、キーソース信号として判別すべき画像の信号レベルの閾値を調整する値、キーソース信号の位置を調整する値、キーフィル信号の縮小率を調整する値、背景画像との境界線に関する調整値等である。
【００６７】
キー・プロセッサ５１によって調整・加工されたキーフィル信号およびキーソース信号は、ミキサ５５に送られる。ミキサ５５は、キー・プロセッサ５１からのキーフィル信号およびキーソース信号を用いて、キーイングによって背景画像に前景画像を重畳する回路である。また、ミキサ５５は、ビデオ・プロセッサ６１を経由した背景Ａ信号と、ビデオ・プロセッサ６１を経由した背景Ｂ信号とを合成して背景画像とし、この合成にワイプ（Wipe）などを用いることが可能で、ワイプなどによる背景画像の切り換えトランジション（Transition）を行う機能を持つ。
【００６８】
このミキサ５５から、プログラム出力ライン１７を通じてプログラム出力（Program Output）が外部に出力される。また、このミキサ５５から、プレビュー出力ライン１８を通じてプレビュー出力（Preview Output）が外部に出力される。ミキサ５５の出力は４系統図示されているが、ミキサ５５の内部から出力可能な信号はこれよりも多く、ミキサの内部からどの信号を選んで出力させるかは別途の設定で決められる。ここでは少なくとも Program （メインの合成結果のビデオ信号）と Preview （プレビュー）とが出力される設定としている。
【００６９】
なお、Ｍ/Ｅバンクの各信号処理機能は、コンピュータ・ソフトウェアにより実現される構成でもよい。
【００７０】
図８は、ビジョン・ミキサ・メイン・フレーム１１３の筐体背面の一例を示す図である。ビジョン・ミキサ・メイン・フレーム１１３の筐体背面には、矢印Ｓで示すように複数のＳＤＩコネクタが配設されている。また、このビジョン・ミキサ・メイン・フレーム１１３の筐体背面には、矢印Ｐで示すように、複数の光コネクタ（例えば、ＱＳＦＰ＋）が配されている。
【００７１】
次に、入力アサインテーブルについて説明する。この入力アサインテーブルは、コントロール・パネル１１６（図４参照）の操作卓の、内部バス毎のクロスポイントボタン列のボタンを押下した際に、選択される入力ビデオ信号を決めるテーブルである。図９に示すように、入力アサインテーブルは、この実施の形態では、「テーブル１」および「テーブル２」の２つのテーブルから構成されている。
【００７２】
「テーブル１」は、ボタン列の各ボタンのボタン番号（Button Number）と、本機能専用のインデックス（Index）とを対応付ける。「テーブル２」は、インデックスと、キーフィル信号（V）用の入力番号およびキーソース信号（K）用の入力番号を対応付ける。これら２つのテーブルにより、ある内部バスに対応するクロスポイントボタン列のあるボタンが操作された際に、どの入力信号を選択するかの動作が決まる。なお、背景Ａバス１３ａ、背景Ｂバス１３ｂおよび予備入力バス１４では、特別な変更指示がない限り、キーフィル信号用の入力番号が使用される。
【００７３】
図１０は、コントロール・パネル１１６におけるＧＵＩ画面の一つとしてのテーブル２の編集画面の一例を示している。なお、ここでは、「テーブル１」の編集画面の図示とその説明は省略する。
【００７４】
コントロール・パネル１１６には、各入力番号について、その名称と、それが属するグループのグループ番号と名称が別途記憶されている。ここで、グループには、ビジョン・ミキサ・メイン・フレーム１１３のハードウェア構成で決まるグループと、別途の設定により決まるグループとがある。
【００７５】
図中の“OCH1”、“OCH2”、“OCH3”という名称のグループは、それぞれ光通信路であるビジョン・ミキサ・メイン・フレーム１１３の筐体背面の光コネクタに対応し、それぞれ、それに属する入力番号（複数）は、対応する一つの光コネクタにより入力されるビデオ信号に対応する。グループの名称は、別途の設定画面でオペレータ操作により設定可能である。
【００７６】
また、図中の“SDI”という名称のグループは、ビジョン・ミキサ・メイン・フレーム１１３の筐体背面の複数のＳＤＩコネクタに対応し、それに属する入力番号はＳＤＩコネクタにより入力されるビデオ信号に対応する。このＳＤＩグループに属する入力番号は、別の設定画面により変更することができる。
【００７７】
図１０の編集画面において、左表は「テーブル２」の内容を表示している。列は、左から、インデックス、キーフィル信号（V）のグループ名称、キーフィル信号（V）のグループ番号、キーフィル信号（V）の名称、キーフィル信号（V）の入力番号、キーソース信号（K）のグループ名称、キーソース信号（K）のグループ番号、キーソース信号（K）の名称、キーソース信号（K）の入力番号である。
【００７８】
また、図１０の編集画面において、右表は「Input Selection」であり、キーフィル信号（V）やキーソース信号（K）として選択可能な入力信号の選択肢が列挙される。列は、左から、グループ名称、グループ番号、入力信号の名称、入力信号の入力番号である。
【００７９】
図１０に示すような編集画面を用いた編集操作シーケンスの一例を説明する。オペレータは、編集画面上でのクリックなどの選択操作により、左表のいずれかの行を選択する。図示の例では、インデックス７のキーフィル信号（V）側が選択された状態を示している。
【００８０】
「Assign」のＶ/Ｋボタンは二択でラジオボタン方式の動作をする。“Ｖ”を押下（クリック）すると、左表の行のＶ列 が選択され、設定変更対象となる。一方、“Ｋ”を押下（クリック）すると、左表の行のＫ列が選択され、設定変更対象となる。
【００８１】
オペレータが、「Input Selection」のいずれかの行を選択操作すると、そこの表示態様が変わる。図示の例では 入力番号“１１”で名称“Scam6”の入力信号が選択されている。オペレータが「Action」の「Set」を押下すると、左表で選択されている箇所（Ｖ列またはＫ列のいずれか）が、「Input Selection」で選択されている入力信号になる。
【００８２】
また、オペレータが、「Action」の「Insert」を押下すると、左表の現在選択されている行から下の内容すべてがインデックスに対して一行ずつ下がって移動する。そして、その直前の行（図示の状態からならインデックス７の行）は未設定状態となる。この未設定状態は、図示ではインデックス１３のような表示のことであり、インデックス以外は横線となり、何も設定されていないことを示す。この未設定状態に対応するボタンを押下しても何も起きず、Ｍ/Ｅブロック、従ってビジョン・ミキサ・メイン・フレーム１１３は直前の状態を維持する。
【００８３】
また、オペレータが、「Action」の「Delete」を押下すると、左表の現在選択されている行は未設定状態となる。また、オペレータが、「Action」の「Default」を押下すると、左表の現在選択されている行は、デフォルトの状態となる。デフォルトの状態は、ビジョン・ミキサ・コントローラ１１５に予め記憶されている状態であり、例えば、Ｖ、Ｋのどちらにもインデックス番号と同じ入力番号の入力信号が設定された状態である。
【００８４】
なお、図示の例とは異なるが、例えば、「Input Selection」で選択されているグループの入力信号を、左表で選択されている行から始まる複数の行に設定するような操作ボタンがさらに設けられていてもよい。
【００８５】
図１１は、図１０に示す編集画面の右表の「Input Selection」において、スクロール操作をした状態を示している。図１０の「Input Selection」では外部からの入力信号が選択肢として列挙されていたのに対して、ここでは、内部回路の出力信号（Reentry Wiringsを経由する信号）が選択肢として列挙されている。例えば、Ｍ/Ｅブロックの出力は全て選択肢として列挙される。
【００８６】
図示の例では、グループ名が「M/E 1」、「M/E 2」に対応して、Ｍ/Ｅブロックからの出力が列挙されている。各Ｍ/Ｅブロックに４出力がある。各出力の意味はＭ/Ｅブロックの設定により異なるが、ここでは表示されている名称の信号となっているものとする。Ｍ/Ｅブロック１（M/E 1）の１番目の出力は“Program1”（正規の出力）であり、２番目の出力は、“Preview1”であり、３番目の出力は、“Program2 （第二の正規の出力）”であり、４番目の出力は、名称未設定のそれ以外の部分合成ビデオ信号である。Ｍ/Ｅブロック２（M/E 2）についても設定に応じた選択肢の表示となる。
【００８７】
グループ名が「ClipStorage」に対応して、「ClipStorage」からの出力が列挙されており、これらもクロスポイントボタン列のボタンにアサイン可能である。
【００８８】
図１２は、編集画面の右表の「Input Selection」の他の表示例を示している。“OCH1”グループの６番目のビデオ信号のチャンネルには有効な信号がきていないことが例えばＩｎｐｕｔ Ｂｌｏｃｋで検出され、そのために空欄となっている。
【００８９】
図１０の編集画面において、左表の内容が更新されるとその内容は直ちに「テーブル２」として記憶される。なお、「テーブル２」として複数個を記憶するようにし、適用する内部バスやオペレータの運用ケースに応じて、使用する「テーブル２」を指定できるようにしてもよい。また、それぞれの入力信号の名称は、別途の画面により編集可能である。
【００９０】
次に、出力アサインテーブルについて説明する。図１３は、出力アサインテーブルの一例を示している。この出力アサインテーブルは、ビジョン・ミキサ・メイン・フレーム１１３の筐体背面に配設されている出力端子（ＳＤＩコネクタ、光コネクタ）のそれぞれに、内部回路のどの信号を出力するかを決めるテーブルである。この出力アサインテーブルは、ビジョン・ミキサ・コントローラ１１５が記憶し、ビジョン・ミキサ・メイン・フレーム１１３は、それにより制御される。
【００９１】
図１４は、コントロール・パネル１１６におけるＧＵＩ画面の一つとしての出力アサインテーブルの編集画面の一例を示している。内部回路の出力信号にはそれぞれ、内部信号番号（Internal Signal Number）が付与されている。また、その出力信号にはそれぞれ、名称が付与されている。
【００９２】
図１４の編集画面において、左表は出力アサインテーブルの内容を表示している。列は、左から、出力端子のグループとしての名称、グループ番号、出力各ビデオ信号のチャンネルに付与されている出力ポート番号（Output Port Number）、そしてアサインされている内部回路の出力信号の名称、その内部信号番号（Internal Signal Number）である。また、図１４の編集画面において、右表は、「Internal Signal Selection」であり、内部回路の出力信号の名称と番号が選択肢として表示されている。
【００９３】
図１４の編集画面を用いた編集操作シーケンスの一例を説明する。オペレータは、編集画面上でのクリックなどの選択操作により、左表のいずれかの行を選択する。図示の例では、出力ポート番号１１が選択された状態を示している。次に、オペレータは、「Internal Signal Selection」のいずれかの行を選択操作すると、そこの表示態様が変わる。図示の例では 内部信号番号“９”で名称“FMO1”の内部回路の出力信号が選択されている。オペレータが「Action」の「Set」を押下すると、左表で選択されている行に、「Internal Signal Selection」で選択されている、内部回路の出力信号が上書きされる。
【００９４】
また、オペレータが、「Action」の「Delete」を押下すると、左表の現在選択されている行は未設定状態となる。また、オペレータが、「Action」の「Default」を押下すると、左表の現在選択されている行は、デフォルトの状態となる。デフォルトの状態は、ビジョン・ミキサ・コントローラ１１５に予め記憶されている状態であり、例えば、全ての出力ポート番号に対して、同じ、内部回路の出力信号の番号が設定された状態である。
【００９５】
図１５は、出力アサインテーブルの編集画面の他の例を示している。この例では、「Internal Signal Selection」として、“Aux1”から“Aux15”の選択肢が表示されている。“Aux1”、“Aux2”、・・・ は外部出力として運用中にクロスポイントボタン列で、何を出力するか操作可能とする出力ラインの論理的な名称・機能である。用途の例としては、スタジオ内のモニタに表示するビデオ信号に使用される。
【００９６】
次に、マルチ・ビューワ・プロセッサ１１２によるディスプレイ１２８の表示構成について説明する。
【００９７】
図１６は、マルチ・ビューワ・プロセッサ１１２によるディスプレイ１２８の表示構成（第１のモードの表示構成）の一例を示している。“PGM”の矩形領域は、ビジョン・ミキサ・メイン・フレーム１１３からのプログラム（ＰＧＭ）出力のビデオ信号による画像の表示領域である。“Video1”から“Video11”の矩形領域はそれぞれ“Video1”から“Video11”のビデオ信号による画像の表示領域である。例えば、“Video1”から“Video11”のビデオ信号は、光伝送路によりビジョン・ミキサ・メイン・フレーム１１３からマルチ・ビューワ・プロセッサ１１２に送られる。“Video1 Preview”の矩形領域はプレビュー（Preview 出力のビデオ信号による画像）の表示領域である。プレビュー出力のビデオ信号は、次にプログラム出力となる予定のビデオ信号である。
【００９８】
このマルチ・ビューワ・プロセッサ１１２によるディスプレイ１２８の表示構成は、コントロール・パネル１１６への操作により決まり、ビジョン・ミキサ・コントローラ１１５に記憶される。そして、各ビデオ信号による画像の表示領域の指定情報は、ビジョン・ミキサ・メイン・フレーム１１３からマルチ・ビューワ・プロセッサ１１２に、例えば、上述の“Video1”から“Video11”のが含まれる光多重信号に挿入して送られる。この表示領域の指定情報には、“PGM”の画面中の配置とサイズの指定も含まれる。
【００９９】
なお、この表示領域の指定情報を、ビジョン・ミキサ・メイン・フレーム１１３からマルチ・ビューワ・プロセッサ１１２に、制御系ラインを通じて直接送ることも考えられる。また、ディスプレイ１２８の表示画面中には、ビデオ信号による画像の他、図示のように、時計や、稼働状態を示す文字列や記号、その他の情報（OnAir:ON、Satellite :OKなど）が配置される。また、指定情報はマルチ・ビューワ・プロセッサ１１２に記憶され、電源が一旦絶たれても、起動すれば元の状態となる。
【０１００】
図１７（ａ）は、エマージェンシー・オペレーション（Emergency Operation）におけるディスプレイ１２８の表示構成（第２のモードの表示構成）の一例を示している。マルチ・ビューワ・プロセッサ１１２は、イマージェンシー・オペレーションとする指示（切り替え指示）を、コントロール・パネル１１６などから制御端子１１２ａ（図２、図３参照）に受けると、このような表示構成に切り替える。「Emergency In」の矩形領域は、イマージェンシー・スイッチ１１１からのビデオ信号による画像の表示領域である。“PGM”の矩形領域は、ビジョン・ミキサ・メイン・フレーム１１３からのプログラム（ＰＧＭ）出力のビデオ信号による画像の表示領域である。このプログラム（ＰＧＭ）出力のビデオ信号が無信号である場合は、そこは黒画面となる。
【０１０１】
図１７（ｂ）は、エマージェンシー・オペレーション（Emergency Operation）におけるディスプレイ１２８の表示構成の他の一例を示している。この例は、図１７（ａ）に示す表示構成に比べて、「Emergency In」の矩形領域を大きくしたものである。通常は、マルチ・ビューワ・プロセッサ１１２は、ビジョン・ミキサ・コントローラ１１５から制御を受けるが、イマージェンシー・オペレーションとする指示（イマージェンシー切り替え指示）、および通常稼働への切り替えは、コントロール・パネル１１６などから直接受けることもできる。
【０１０２】
図１８のフローチャートは、ビジョン・ミキサ・コントローラ１１５におけるイマージェンシー・オペレーションへの切り替え時の処理手順の一例を示している。ビジョン・ミキサ・コントローラ１１５は、ステップＳＴ１において、コントロール・パネル１１６などからイマージェンシー切り替え指示を受信する。
【０１０３】
次に、ビジョン・ミキサ・コントローラ１１５は、ステップＳＴ２において、イマージェンシー・スイッチ１１１に、“Emergency In”として入力されるビデオ信号を出力するように、指示を送信する。
【０１０４】
次に、ビジョン・ミキサ・コントローラ１１５は、ステップＳＴ３において、マルチ・ビューワ・プロセッサ１１２に、通常の表示構成（第１のモードの表示構成）（図１６参照）からイマージェンシー表示構成（第２のモードの表示構成）（図１７（ａ），（ｂ）参照）に切り替えて、イマージェンシー・スイッチ１１１からのビデオ入力を出力するように、指示を送信する。
【０１０５】
次に、ビジョン・ミキサ・コントローラ１１５は、ステップＳＴ４において、以降の入力選択コマンドの宛先を、イマージェンシー・スイッチ１１１とする。
【０１０６】
図１９のフローチャートは、ビジョン・ミキサ・コントローラ１１５におけるイマージェンシー・オペレーションから通常稼働への切り替え時の処理手順の一例を示している。ビジョン・ミキサ・コントローラ１１５は、ステップＳＴ１１において、コントロール・パネル１１６などからイマージェンシー・オペレーションの終了指示を受信する。
【０１０７】
次に、ビジョン・ミキサ・コントローラ１１５は、ステップＳＴ１２において、イマージェンシー・スイッチ１１１に、ビジョン・ミキサ・メイン・フレーム１１３のプログラム出力（ＰＧＭ）のビデオ信号を出力するように、指示を送信する。
【０１０８】
次に、ビジョン・ミキサ・コントローラ１１５は、ステップＳＴ１３において、マルチ・ビューワ・プロセッサ１１２に、イマージェンシー表示構成を終了し、通常の表示構成とし、ビジョン・ミキサ・メイン・フレーム１１３からのビデオ信号を出力するように、指示を送信する。
【０１０９】
次に、ステップＳＴ１４において、ビジョン・ミキサ・コントローラ１１５は、以降の入力選択コマンドの宛先を、ビジョン・ミキサ・メイン・フレーム１１３とする。
【０１１０】
次に、コントロール・パネル１１６、あるいはＧＵＩパネル１１７で表示・操作できる画面（ＧＵＩ画面）について説明する。
【０１１１】
図２０（ｃ）は、操作するビデオクリップの格納場所を選択するセレクト・ダイアログ・ボックスの一例を示している。“local”は、ビジョン・ミキサ・メイン・フレーム１１３のクリップ・ストレージ・ボード１５１を示す。“Net1”はネットワーク名称であり、その下位となる“server1”、“poserver1”、“server3”はサーバの名称である。
【０１１２】
「select」は、ディレクトリを選択して、そのディレクトリの画面に戻るためのボタンである。「Open」は、ディレクトリの画面に戻らず、ディレクトリの中をツリー表示するためのボタンである。
【０１１３】
図２０（ａ）は、図２０（ｃ）のセレクト・ダイアログ・ボックスで、“local”のディレクトリを選択して、「select」のボタンを操作した場合におけるディレクトリ画面の一例を示している。
【０１１４】
「Select」は、上述のセレクト・ダイアログ・ボックスを開くためのボタンである。「CS Disk Free」は、クリップ・ストレージ・ボード１５１のストレージ（Ａ）１５１ａの空き容量を示す。図示の例では、空き容量が１２．５ＧＢであることが示されている。「CS FM Free」は、クリップ・ストレージ・ボード１５１のビデオ・フレーム・メモリ１５１ｂの空き容量を示す。図示の例では、空き容量が７．２ＧＢであることが示されている。「Disk Free」は、現在画面に表示されているディレクトリのストレージの空き容量を示し、図示の例では「CS Disk Free」と同じ値となる。「/local」は、現在のディレクトリの位置を示す。
【０１１５】
中央のアイコン群は、下位ディレクトリ（フォルダ）およびクリップ（静止画と動画）を表示する。破線枠で示すクリップは現在選択されているクリップを示す。太実線枠で示すクリップは、ビデオ・フレーム・メモリ１５１ｂに保持されている、すなわちロード済みであることを示す。なお、この説明ではロード済のクリップを太実線枠で示すとしているが、所定の色枠など他の表示形態で示すことも可能である。また、三角形のマークが付されたクリップは動画クリップを意味し、それが付されていないクリップは静止画クリップを意味している。
【０１１６】
「Play」は、選択されているクリップをビデオ信号出力することを指示するボタンである。出力するチャンネルは “FMO1”から“FMO8”などの名称が付与されており、別の画面（略）で選択される。「Load」は、選択されているクリップをビデオ・フレーム・メモリ１５１ｂに読み込むことを指示（ロード指示）するボタンである。「Unload」は、選択されているクリップがロード済みの場合に、ビデオ・フレーム・メモリ１５１ｂから消すことを指示するボタンである。ロード済みのクリップは「Play」ボタンが操作（クリック）を受けると直ちにビデオ信号出力が開始される。ロード済みでない場合は、出力にはロードが必要となり、それに時間を要し、その後に出力が開始される。
【０１１７】
図２０（ｂ）は、図２１（ｄ）のセレクト・ダイアログ・ボックスで、外部サーバである“Sever3”のディレクトリにおけるdirA”のディレクトリを選択して、「select」のボタンを操作した場合におけるディレクトリ画面の一例を示している。「Disk Free」は、そのディレクトリのストレージの空き容量を示す。図示の例では、空き容量が７５５ＧＢであることが示されている。「//server3/dirA」は、現在のディレクトリの位置を示す。
【０１１８】
中央のアイコン群は、“dirA”のディレクトリの下位ディレクトリ（フォルダ）およびクリップ（静止画と動画）を表示する。破線枠で示すクリップは現在選択されているクリップを示す。太実線枠で示すクリップは、ビデオ・フレーム・メモリ１５１ｂに保持されている、すなわちロード済みであることを示す。なお、この説明ではロード済のクリップを太実線枠で示すとしているが、所定の色枠など他の表示形態で示すことも可能である。また、三角形のマークが付されたクリップは動画クリップを意味し、それが付されていないクリップは静止画クリップを意味している。
【０１１９】
「play」は、選択されているクリップをクリップ・ストレージ・ボード１５１からビデオ信号として出力させることを指示するボタンである。「ServerPlay」は、選択されているクリップをサーバからビデオ信号として出力させることを指示するボタンである。太実線枠で示すクリップは、サーバ内でロードされており、 「ServerPlay」のボタンの押下（クリック）からビデオ信号が出力されるまでの時間は短い。「Load」は、サーバ内にロード（プレイ準備）することを指示するボタンである。「Unload」は、ロードの解除を指示するボタンである。
【０１２０】
「Import」は、ネットワーク経由でクリップ・ストレージ・ボード１５１にクリップを転送させる指示を出すボタンである。転送先はクリップ・ストレージ・ボード１５１のビデオ・フレーム・メモリ１５１ｂであるが、別の設定により、クリップ・ストレージ・ボード１５１のストレージ（Ａ）１５１ａ を転送先とすることもできる。
【０１２１】
なお、「ServerPlay」のボタンには、プレイ開始にリンクした動作対象として、事前に設定した内部バスのクロスポイント制御を、別の画面で設定できる。その際、該当サーバのビデオ信号出力が入力されている入力信号ラインも設定する。例えば、“Aux1”出力である内部バスを設定すると、「ServerPlay」のボタンにより、サーバからビデオ信号が出力され、ビジョン・ミキサ・メイン・フレーム１１３に入ってくるタイミングで、“Aux1”のクロスポイントで、該当の入力信号ラインを選択するように、制御される。M/Eの内部バス等を設定した場合も同様であり、好ましくは、更に複雑なM/Eの動作をリンクさせることも可能である。
【０１２２】
次に、別のGUI実施例として、ロード済みクリップのみとする場合と、すべてのクリップとする場合とで、論理的なディレクトリを分ける例を説明する。
【０１２３】
図２１（ａ）は、“local”のディレクトリを開き、さらに“loaded”のディレクトリを開いた状態を示している。図２１（ｂ）は、“local”のディレクトリを開き、さらに“all”のディレクトリを開いた状態を示している。図２１（ｃ）は、“server3”のディレクトリを開き、さらに“loaded”のディレクトリを開いた状態を示している。図２１（ｄ）は、“server3”のディレクトリを開き、さらに“all”のディレクトリを開いた状態を示している。ここで、“loaded”はロード済みクリップのみを表示する論理的なディレクトリであり、“All”はすべてのクリップを表示する論理的なディレクトリである。それぞれの格納場所毎に、論理的なディレクトリとして表現している。
【０１２４】
詳細説明は省略するが、図２２（ａ）は、例えば、図２１（ａ）あるいは図２１（ｂ）のセレクト・ダイアログ・ボックスで、“local”のディレクトリにおける“loaded”のディレクトリを選択して、「select」のボタンを操作した場合におけるディレクトリ画面の一例を示している。図２２（ｂ）は、図２１（ａ）あるいは図２１（ｂ）のセレクト・ダイアログ・ボックスで、“local”のディレクトリにおける“all”のディレクトリを選択して、「select」のボタンを操作した場合におけるディレクトリ画面の一例を示している。
【０１２５】
図２２（ｃ）は、また別の例として、図２１（ａ）あるいは図２１（ｂ）のセレクト・ダイアログ・ボックスで、“local”のディレクトリにおける“all”のディレクトリを選択して、「select」のボタンを操作した場合におけるディレクトリ画面の一例を示している。この例では、ロード済みのクリップは表示されず、それにともない「Unload」ボタンは無効化される。
【０１２６】
図２３（ａ）は、図２１（ｃ）のセレクト・ダイアログ・ボックスで、外部サーバである“Sever3”のディレクトリにおける“loaded”のディレクトリに含まれる“dirA”のディレクトリを選択して、「select」のボタンを操作した場合におけるディレクトリ画面の一例を示している。図２３（ｂ）は、図２１（ｄ）のセレクト・ダイアログ・ボックスで、外部サーバである“Sever3”のディレクトリにおける“all”のディレクトリに含まれる“dirA”のディレクトリを選択して、「select」のボタンを操作した場合におけるディレクトリ画面の一例を示している。
【０１２７】
図２４のフローチャートは、コントロール・パネル１１６におけるクリップ・ストレージ・ボード１５１のストレージ（Ａ）１５５ａの内容表示の動作手順の一例を示す。コントロール・パネル１１６は、ステップＳＴ２１において、オペレータの操作に応じて、クリップ・ストレージ・ボード１５１のストレージ（Ａ）１５５ａの内容表示の指示を受ける。この指示には、ディレクトリの指定も付されている。
【０１２８】
次に、コントロール・パネル１１６は、ステップＳＴ２２において、クリップ・ストレージ・ボード１５１のストレージ（Ａ）１５５ａから、指定ディレクトリのクリップファイル一覧を読み出す。この際に、サムネイルも読む。次に、コントロール・パネル１１６は、ステップＳＴ２３において、読み出したクリップファイル一覧を、サムネイルを用いて表示する。
【０１２９】
次に、コントロール・パネル１１６は、ステップＳＴ２４において、一覧表示したクリップファイルについて、クリップ・ストレージ・ボード１５１のビデオ・フレーム・メモリ１５１ｂに読み込まれているか、つまりロードされているか、調べる。
【０１３０】
次に、コントロール・パネル１１６は、ステップＳＴ２５において、ビデオ・フレーム・メモリ１５１ｂに読み込まれているクリップファイルについて、サムネイルの表示態様を変える。
【０１３１】
次に、ビジョン・ミキサ・メイン・フレーム１１３におけるリソース・シェア（Resource Share）の機能について説明する。このリソース・シェアの機能は、ビジョン・ミキサ・メイン・フレーム１１３の機能ブロックごとに、複数の運用単位（それぞれ、別の用途、例えば別の放送チャンネルの制作用に別々に運用される）のいずれかにアサインし、一つのビジョン・ミキサ・メイン・フレーム１１３を細かく分割して、グループ分けし、複数の運用を実現する機能である。
【０１３２】
図２５は、コントロール・パネル１１６におけるリソース・シェア時の機能ブロックのアサインを行うためのＧＵＩ画面の一例を示している。ＧＵＩのタブがグルーピングの一つに相当する。２５１はグルーピングの名称を入力できるテキストボックスである。図示の例では、“Operation 1”のタブが選択された状態を示しており、テキストボックスには、“Live Studio A”が入力されている。
【０１３３】
２５２は「M/E」をそれぞれメイン（Main）/サブ（Sub）に分けて、このタブのグループに属させるものを表示するリストボックスである。２５３は「ClipStorage」の複数の出力ラインについて、このタブのグループに属させるものを表示するリストボックスである。また、２５４は「CG Render」の複数の出力ラインについて、このタブのグループに属させるものを表示するリストボックスである。また、２５５は「CCR」の複数の出力ラインについて、このタブのグループに属させるものを表示するリストボックスである。
【０１３４】
また、２５６は複数の入力ライン（In）について、このタブのグループに属させるものを表示するリストボックスである。また、２５７は複数の出力ライン（Out）について、このタブのグループに属させるものを表示するリストボックスである。入力ライン（In）と出力ライン（Out）に関しては、グループ単位のこともあり、あるいはグループ名とその中の信号チャンネル／ライン名称を両方表示して、チャンネル／ラインごとに、グループに属させることもできる。
【０１３５】
２６１「Select M/E」、２６２「Select Clip Storage」、２６３「Select CG Render」、２６４「Select CCR」、２６５「Select In」、２６６「Select Out」などのボタンは、グループに属させる要素を選択する画面を開くためのものである。例えば、図２６は、「Select M/E」のボタンが押下された場合のＧＵＩ画面であり、オペレータは、このＧＵＩ画面において、チェック操作をすることで、属させるＭ/Ｅの選択が可能となっている。
【０１３６】
また、例えば、図２７は、「Select In」のボタンが押下された場合のＧＵＩ画面であり、オペレータは、このＧＵＩ画面において、「Separated」すなわちチャンネル／ライン毎か、「Group」すなわちグループ毎に、そのグループに属させるものをチェックすることで、属させる入力ラインの選択が可能となっている。詳細説明は省略するが、他のボタンが押下された場合にも同様の選択用ＧＵＩ画面が表示され、オペレータによる選択が可能となる。
【０１３７】
図１のセクタ内の３つのコントロール・パネル１１６は、それぞれ、運用単位のいずれか（Operation1、Operation2、Operation3）にアサインできる。コントロール・パネル１１６は、運用単位が列挙表示されて、その中から選択するＧＵＩを備えており、選択操作されると、その運用単位にアサインされたビジョン・ミキサ・メイン・フレーム（エフェクト・スイッチャ）１１３の機能ブロックのみが、当該コントロール・パネル１１６から操作可能となる。これにより、他の運用用途にアサインされた機能ブロックを誤操作する事がなくなる。
【０１３８】
上述したように、図１に示す放送システム１０において、セクタ１０１内のビジョン・ミキサ・メイン・フレーム１１３は、マルチ・ビューワ・プロセッサ１１２に送信する複数のビデオ信号を光多重信号として出力する出力端子（光コネクタ）を備える。そのため、マルチ・ビューワ・プロセッサ１１２に複数のビデオ信号を供給することを効率的に行うことができる。
【０１３９】
また、図１に示す放送システム１０において、セクタ１０１内のビジョン・ミキサ・メイン・フレーム１１３はマルチ・ビューワ・プロセッサ１１２に送信するプログラム出力（ＰＧＭ）のビデオ信号（単一のビデオ信号）を出力する端子（ＳＤＩコネクタ）を備え、マルチ・ビューワ・プロセッサ１１２に送信する複数のビデオ信号の光多重信号には、プログラム出力（ＰＧＭ）のビデオ信号による画像の表示領域を指定する情報が挿入される。そのため、複数のビデオ信号のそれぞれによる画像が表示される一画面中におけるプログラム出力（ＰＧＭ）のビデオ信号による画像の表示領域をマルチ・ビュー・プロセッサ１１２に対して容易かつ簡単に指定できる。
【０１４０】
また、図１に示す放送システム１０において、セクタ１０１内のビジョン・ミキサ・メイン・フレーム１１３のＭ/Ｅブロックにおける入力アサインテーブルを、オペレータ（ユーザ）は、コントロール・パネル１１６から、ＧＵＩ画面に基づいて編集を行うことが可能とされている。そのため、オペレータは、この入力アサインテーブルの編集を効率よく行うことができる。
【０１４１】
＜２．変形例＞
なお、上述実施の形態においては、本技術を放送システム１０に適用した例を示した。しかし、本技術はその他の技術分野にも適用できることは勿論である。
【０１４２】
本技術に、以下のような変形を施してもよい。
図１０のような編集画面について、さらに、グループ名称に加えて、グループの属性を表示してもよい。たとえばあるグループが光通信路からの入力であれば、「光入力」の文字列を表示してもよい。また、光コネクタから入力される信号の中から、その中の各ビデオ信号の名称を取り出し、表示に使用してもよい。またそこからグループに関する情報を取り出してグループの属性として表示してもよい。また、各入力ビデオ信号（チャンネル）について、その時点で有効なビデオ信号が入力されているかどうかを判定する回路をもうけ、その有効無効の判定結果を、入力ビデオ信号毎に表示してもよい。無効である入力ビデオ信号については選択対象外となるように制限を加えてもよい。
【０１４３】
コントロール・パネル１１６の操作卓の、クロスポイントボタン列のボタンに点灯機能を備えて、点灯の態様を複数種類とする技術は公知である。点灯態様とは、たとえば点灯色であったり、点滅であったりする。各入力ビデオ信号（チャンネル）について、その時点で有効なビデオ信号が入力されているかどうかを判定する回路をもうけ、その有効無効の判定結果を、対応するボタンの点灯態様に反映させても良い。たとえば無効となっている入力ビデオ信号に対応するボタンは消灯し、有効となっている入力ビデオ信号に対応するボタンを点灯させても良い。
【０１４４】
ネットワークからパケットで到着する入力ビデオ信号のグルーピングについては、送信元のネットワーク・アドレス情報を元に、たとえばアドレスの上位桁が同じものを同じグループとするようにしても良い。
【０１４５】
入力元が光多重伝送の場合、各光伝送信号がパケット多重化された複数のビデオ信号を含む信号であり、それを入力として受ける構成でも良い。その場合、光多重受信回路と付随する回路で、個々のビデオ信号に分けられる構成となる。
【０１４６】
図１４のような編集画面において、さらに、グループ名称に加えて、グループの属性を表示してもよい。たとえばあるグループが光通信路への出力であれば、「光出力」の文字列を表示してもよい。
【０１４７】
図１４のような編集画面を適用する他の構成例として、
所定形式の出力ビデオ信号を出力する複数のビデオストリーム出力回路と、
前記ビデオストリーム出力回路のそれぞれと
内部回路ブロックの出力信号のいずれかとの対応付けを記憶する
出力アサイン対応テーブルと、
出力アサイン回路と、
前記出力アサイン対応テーブルを参照して前記内部回路ブロックの出力信号と前記ビデオストリーム出力回路とを接続するように前記出力アサイン回路を制御する
出力アサイン制御装置と、
前記出力アサイン対応テーブルを編集するためのGUIであって
前記ビデオストリーム出力回路をグループ毎に分けて列挙／リスト／テーブル表示し
前記ビデオストリーム出力回路のそれぞれと前記内部回路ブロックの出力信号とを対応付ける操作を受けて
前記出力アサイン対応テーブルを更新するGUIを実現する制御装置と表示装置と入力装置とを含むように、構成しても良い。
【０１４８】
マルチ・ビューワ・プロセッサ１１２へ光出力端子経由で出力される複数のビデオ信号の内部信号番号を、マルチ・ビューワ・プロセッサ１１２の画面構成を設定するＧＵＩに表示しても良い。さらに、グループ番号も表示しても良い。
【０１４９】
図１４のような編集画面において、さらに、グループ選択操作を受ける手段を設け、
それにより選択された一つのグループの複数の出力に、論理的にAuxと呼ばれるバス、すなわち外部から入力されたビデオ信号および内部回路で処理されたビデオ信号のいずれをも操作により選択することが可能な出力用バスを、一括で設定する操作を受ける機能を設けても良い。
操作卓において、あるクロスポイントボタン列により複数のAuxバス等のいずれかを操作できるように設定（デリゲーション設定）可能とされている構成の場合に、その設定を表示する液晶のような文字表示部に、設定されているAuxバスのグループ番号やグループ名称を表示するようにしても良い。
【０１５０】
エフェクト・サーバ１０７の活用適用一例として、
ビジョン・ミキサ・メイン・フレーム１１３内のマイクロコンピュータあるいはビジョン・ミキサ・コントローラ１１５内のコンピュータにロードされるプログラム（スクリプト／マクロ／シーケンス）であって、
ビジョン・ミキサ・メイン・フレーム１１３等を時系列制御して時系列のビデオ合成処理を行わせるようなプログラムを、
エフェクト・サーバ１０７に、複数保持しても良い。
【０１５１】
ビジョン・ミキサ・メイン・フレーム１１３内のマイクロコンピュータあるいはビジョン・ミキサ・コントローラ１１５内のコンピュータで作成されたプログラムを、コントロール・パネルのＧＵＩが受けた操作によりエフェクト・サーバ１０７へ送信して保持させても良い。
【０１５２】
エフェクト・サーバ１０７が保持するプログラムを、
前記ＧＵＩが受けた操作により、ビジョン・ミキサ・メイン・フレーム１１３内のマイクロコンピュータあるいはビジョン・ミキサ・コントローラ１１５内のコンピュータに送信して、動作させることができるようにしても良い。
また、エフェクト・サーバ１０７はネットワーク経由で接続しているPCからプログラムのアップロードを受けて受信したプログラムを保持する機能を備えても良い。
【０１５３】
また、エフェクト・サーバ１０７あるいはビジョン・ミキサ・メイン・フレーム１１３内のマイクロコンピュータあるいはビジョン・ミキサ・コントローラ１１５内のコンピュータは、エフェクト・サーバ１０７が保持するプログラムについて、あるビジョン・ミキサ・メイン・フレームの装備（ハードウェア、ソフトウェア）で実行可能か判定し、判定結果を表示する機能を備えても良い。さらにその判定結果によって、プログラムを送受信するか、実行操作を受け付けるかなどの動作の変更をしても良い。
【０１５４】
プログラムは単にそのまま実行されるものだけではなく、実行時に、一部の機能たとえばビデオ信号源の選択あるいはパラメタの調整について操作を受けて、変更するものであっても良い。
【０１５５】
ＩＰ-Ｓｙｎｃ入力部１３３は、
第１のモード：
外部からのパケット列によるビデオ信号を１フレーム未満の遅延（1フレーム未満のバッファリングで、ロックのみが目的）でビジョン・ミキサ・メイン・フレーム１１３内部の同期信号に同期／ロックさせて内部へ供給するモードと、
第２のモード：
外部からのパケット列によるビデオ信号を１フレーム以上の遅延（コーデック処理による遅延および伝送遅延の揺れを吸収できるバッファリング）でビジョン・ミキサ・メイン・フレーム１１３内部の同期信号に同期／ロックさせて内部へ供給するモードを、入力ビデオ信号毎に切り替えて動作するものとしても良い。
【０１５６】
各入力についていずれのモードにするかＧＵＩで設定可能としても良い。その場合に入力のグループ毎にいずれのモードにするか設定可能としても良い。さらに、いずれのモードにするかを自動的に決定しても良い。例えば、同じスタジオ内など、同じセクタ内の機器の場合は第１のモードとし、それ以外は第２のモードとしてもよい。あるいは、ルーティング制御から、距離、遅延を予測して、それらが所定の値よりも大きければ第２のモードにするようにしても良い。
【０１５７】
各入力が第１のモードに設定可能かどうかを、ＧＵＩの各表示で入力毎に表示態様を変えて示しても良い。それはまたクロスポイントボタン列において、対応する入力ビデオ信号についてボタンの点灯態様を変えて示しても良い。
【０１５８】
各入力を第１のモードと第２のモードとに手動あるいは自動で設定し終えた後、クロスポイントボタン列において、対応する入力ビデオ信号がいずれのモードとされたかをボタンの点灯態様を変えて示しても良い。
【０１５９】
クロスポイントボタン列の各ボタンの点灯態様を、対応する入力ビデオ信号の伝送状況に応じて変えても良い。その伝送状況とは、受信状態、遅延時間、通信状況によるフレーム／フィールド落ちの発生頻度、圧縮の有無、圧縮率、そもそも同期接続か否か、等を用いても良い。
【０１６０】
ここまで上記では、物理的な端子毎にビデオ信号の入力と出力とに分けられている場合を示したが、そうではなく、
光多重伝送あるいはマルチリンク光伝送（多芯）の伝送路と物理的に接続されるコネクタの複数と、
前記コネクタ毎に入力か出力かを記憶する入出力分類対応テーブルと、
前記コネクタそれぞれが内蔵する伝送路（ビデオ経路）を
前記入出力分類対応テーブルにしたがって
前記コネクタ毎に入力（受信）用と出力（送信）用とに切り替え
あるコネクタを入力用とした場合は当該コネクタの包含する伝送路（チャンネル）全てをビデオ入力用とし、
あるコネクタを出力用とした場合は当該コネクタの奉加する伝送路全てをビデオ出力用とする、入出力切り替え回路と、
前記入出力分類対応テーブルを編集するためのGUIであって
前記コネクタを列挙表示してそれぞれのコネクタを入力用とするか出力用とするかの選択操作を受ける GUI とを設けても良い。
さらに、入力アサインテーブルを編集するためのGUIにおいて、
入出力分類対応テーブルを参照して
出力用となっているコネクタに対応する入力については
未設定状態として表示し、かつ、それをアサインする操作を受け付けないようにする、としても良い。
【０１６１】
さらに、出力アサインテーブルを編集するためのＧＵＩにおいて、
入出力分類対応テーブルを参照して
入力用となっているコネクタに対応する出力については
未設定状態として表示し、かつ、それをアサインする操作を受け付けないようにする、としても良い。
【０１６２】
さらに、入出力分類対応テーブルが、前記コネクタそれぞれが包含する伝送路（チャンネル）毎に入力用か出力用かを記憶するように構成し、それに応じてＧＵＩ等の制御を行うように構成しても良い。
【０１６３】
各光コネクタが双方向光伝送路のものとして（受光部および発光部を備えるようにして）、包含する伝送路（チャンネル）について有効な光伝送信号の受信を検知する光受信判定回路を設けて、その検知結果と、前記入出力分類対応テーブルの内容とに不一致がある場合は、報知表示するようにしても良い。あるいは、その検知結果に応じて前記入出力分類対応テーブルの内容を決める（書き込む）ようにしても良い。また、（その不一致の結果）その検知結果と、入力アサインテーブルあるいは出力アサインテーブルの内容とに不一致がある場合にのみ、報知表示するようにしても良い。
【０１６４】
前記光受信判定回路の検知結果に応じて、
入力アサインテーブルを編集するためのGUIにおいて、
検知した伝送路（チャンネル）をアサインする候補として表示するようにしても良い。出力アサインテーブルを編集するためのＧＵＩにおいて、検知していない伝送路（チャンネル）をアサインする候補として表示するようにしても良い。
【０１６５】
入力および出力の各ビデオ信号について、
ＭＰＥＧ等の技術で圧縮された信号と、非圧縮（SDI相当）信号とのいずれかに、
各ビデオ信号毎（各チャンネル毎）にＧＵＩ等で設定できるようにして、
その設定に応じて処理あるいは回路を変え、それぞれの信号形式に応じた処理をする用にしても良い。その設定はＧＵＩから行うほか、帯域や処理速度から決めても良く、あるいはチャンネル毎に優先順位を決めて、優先度の高いものを可能な数だけ非圧縮形式とする方式にしても良い。さらに、その決定結果を各ビデオ信号の送信元に伝えて、その形式で伝送させるようにしても良い。
【０１６６】
入力の各ビデオ信号について、
入力部の回路においてバッファリングを行う量を設定可能とし、
放送システムの同期信号（House Synch）に同期している場合はバッファのサイズを小さくし例えば１ラインとし、同期しない可能性がある場合はバッファのサイズを大きくし例えば２フレームとし、信号到着のばらつきなどがあってもビデオ信号処理に問題が出ないように構成しても良い。
【０１６７】
本技術は、以下のような構成も取ることができる。
（１）マルチ・ビュー・プロセッサに送信する複数の第１のビデオ信号を光多重信号として出力する出力端子を備える
エフェクト・スイッチャ。
（２）上記マルチ・ビュー・プロセッサに送信する単一の第２のビデオ信号を出力する出力端子と、
上記光多重信号に、上記第１のビデオ信号のそれぞれによる画像が表示される一画面中における上記単一の第２のビデオ信号による画像の表示領域を指定する情報を挿入する情報挿入部をさらに備える
前記（１）に記載のエフェクト・スイッチャ。
（３）上記マルチ・ビュー・プロセッサは、
上記光多重信号を入力する入力端子と、
緊急時用のビデオ信号を入力する入力端子と、
切り替え指示を受ける制御端子を備え、
上記切り替え指示により、上記光多重信号から得られる複数の第１のビデオ信号のそれぞれによる画像を画面に同時に表示する第１のモードと、上記緊急時用のビデオ信号による画像を画面に表示する第２のモードを切り替える
前記（１）または（２）に記載のエフェクト・スイッチャ。
（４）外部からビデオ信号を入力する複数のビデオ入力回路と、
複数の内部バスと、
上記複数のビデオ入力回路から１つを選択して上記複数の内部バスのそれぞれへ接続する選択回路と、
上記複数の内部バスからビデオ信号を受けるスーパーインポーズ回路と、
上記複数の内部バスのそれぞれに対応して、上記複数のビデオ入力回路のそれぞれに付与されている入力識別子とボタン番号との対応付けを記憶するテーブルと、
所定の内部バスについてボタン操作されるとき、上記テーブルを参照して、操作されたボタンのボタン番号に対応した入力識別子を得、該入力識別子に対応したビデオ入力回路が上記所定の内部バスに接続されるように上記選択回路を制御する選択制御回路をさらに備える
前記（１）から（３）のいずれかに記載のエフェクト・スイッチャ。
（５）上記テーブルを編集するためのユーザインタフェース画面を表示する表示制御部と、
上記ユーザインタフェース画面上で入力識別子とボタン番号とを対応付ける操作を受けて上記テーブルを更新するテーブル編集部をさらに備える
前記（４）に記載のエフェクト・スイッチャ。
（６）上記表示制御部は、
上記ユーザインタフェース画面において、上記入力識別子はグループ毎に分けて表示される
前記（５）に記載のエフェクト・スイッチャ。
【０１６８】
＜＜３．応用例＞＞
本開示に係る技術は、様々な製品へ応用することができる。例えば、本開示に係る技術は、手術室システムに適用されてもよい。
【０１６９】
図２８は、本開示に係る技術が適用され得る手術室システム３０００の全体構成を概略的に示す図である。図２８を参照すると、手術室システム３０００は、手術室内に設置される装置群が視聴覚コントローラ（AV  Controller）３００７及び手術室制御装置３００９を介して互いに連携可能に接続されることにより構成される。
【０１７０】
手術室には、様々な装置が設置され得る。図２８では、一例として、内視鏡下手術のための各種の装置群３００１と、手術室の天井に設けられ術者の手元を撮像するシーリングカメラ３７０１と、手術室の天井に設けられ手術室全体の様子を撮像する術場カメラ３７０３と、複数の表示装置３００３Ａ〜３００３Ｄと、レコーダ３００５と、患者ベッド３５０３と、照明３７０５と、を図示している。
【０１７１】
ここで、これらの装置のうち、装置群３００１は、後述する内視鏡手術システム３０５０に属するものであり、内視鏡や当該内視鏡によって撮像された画像を表示する表示装置等からなる。内視鏡手術システム３０５０に属する各装置は医療用機器とも呼称される。一方、表示装置３００３Ａ〜３００３Ｄ、レコーダ３００５、患者ベッド３５０３及び照明３７０５は、内視鏡手術システム３０５０とは別個に、例えば手術室に備え付けられている装置である。これらの内視鏡手術システム３０５０に属さない各装置は非医療用機器とも呼称される。視聴覚コントローラ３００７及び／又は手術室制御装置３００９は、これら医療機器及び非医療機器の動作を互いに連携して制御する。
【０１７２】
視聴覚コントローラ３００７は、医療機器及び非医療機器における画像表示に関する処理を、統括的に制御する。具体的には、手術室システム３０００が備える装置のうち、装置群３００１、シーリングカメラ３７０１及び術場カメラ３７０３は、手術中に表示すべき情報（以下、表示情報ともいう）を発信する機能を有する装置（以下、発信元の装置とも呼称する）であり得る。また、表示装置３００３Ａ〜３００３Ｄは、表示情報が出力される装置（以下、出力先の装置とも呼称する）であり得る。また、レコーダ３００５は、発信元の装置及び出力先の装置の双方に該当する装置であり得る。視聴覚コントローラ３００７は、発信元の装置及び出力先の装置の動作を制御し、発信元の装置から表示情報を取得するとともに、当該表示情報を出力先の装置に送信し、表示又は記録させる機能を有する。なお、表示情報とは、手術中に撮像された各種の画像や、手術に関する各種の情報（例えば、患者の身体情報や、過去の検査結果、術式についての情報等）等である。
【０１７３】
具体的には、視聴覚コントローラ３００７には、装置群３００１から、表示情報として、内視鏡によって撮像された患者の体腔内の術部の画像についての情報が送信され得る。また、シーリングカメラ３７０１から、表示情報として、当該シーリングカメラ３７０１によって撮像された術者の手元の画像についての情報が送信され得る。また、術場カメラ３７０３から、表示情報として、当該術場カメラ３７０３によって撮像された手術室全体の様子を示す画像についての情報が送信され得る。なお、手術室システム３０００に撮像機能を有する他の装置が存在する場合には、視聴覚コントローラ３００７は、表示情報として、当該他の装置からも当該他の装置によって撮像された画像についての情報を取得してもよい。
【０１７４】
あるいは、例えば、レコーダ３００５には、過去に撮像されたこれらの画像についての情報が視聴覚コントローラ３００７によって記録されている。視聴覚コントローラ３００７は、表示情報として、レコーダ３００５から当該過去に撮像された画像についての情報を取得することができる。なお、レコーダ３００５には、手術に関する各種の情報も事前に記録されていてもよい。
【０１７５】
視聴覚コントローラ３００７は、出力先の装置である表示装置３００３Ａ〜３００３Ｄの少なくともいずれかに、取得した表示情報（すなわち、手術中に撮影された画像や、手術に関する各種の情報）を表示させる。図示する例では、表示装置３００３Ａは手術室の天井から吊り下げられて設置される表示装置であり、表示装置３００３Ｂは手術室の壁面に設置される表示装置であり、表示装置３００３Ｃは手術室内の机上に設置される表示装置であり、表示装置３００３Ｄは表示機能を有するモバイル機器（例えば、タブレットＰＣ（Personal  Computer））である。
【０１７６】
また、図２８では図示を省略しているが、手術室システム３０００には、手術室の外部の装置が含まれてもよい。手術室の外部の装置は、例えば、病院内外に構築されたネットワークに接続されるサーバや、医療スタッフが用いるＰＣ、病院の会議室に設置されるプロジェクタ等であり得る。このような外部装置が病院外にある場合には、視聴覚コントローラ３００７は、遠隔医療のために、テレビ会議システム等を介して、他の病院の表示装置に表示情報を表示させることもできる。
【０１７７】
手術室制御装置３００９は、非医療機器における画像表示に関する処理以外の処理を、統括的に制御する。例えば、手術室制御装置３００９は、患者ベッド３５０３、シーリングカメラ３７０１、術場カメラ３７０３及び照明３７０５の駆動を制御する。
【０１７８】
手術室システム３０００には、集中操作パネル３０１１が設けられており、ユーザは、当該集中操作パネル３０１１を介して、視聴覚コントローラ３００７に対して画像表示についての指示を与えたり、手術室制御装置３００９に対して非医療機器の動作についての指示を与えることができる。集中操作パネル３０１１は、表示装置の表示面上にタッチパネルが設けられて構成される。
【０１７９】
図２９は、集中操作パネル３０１１における操作画面の表示例を示す図である。図２９では、一例として、手術室システム３０００に、出力先の装置として、２つの表示装置が設けられている場合に対応する操作画面を示している。図２９を参照すると、操作画面３８００には、発信元選択領域３８１０と、プレビュー領域３８２０と、コントロール領域３８３０と、が設けられる。
【０１８０】
発信元選択領域３８１０には、手術室システム３０００に備えられる発信元装置と、当該発信元装置が有する表示情報を表すサムネイル画面と、が紐付けられて表示される。ユーザは、表示装置に表示させたい表示情報を、発信元選択領域３８１０に表示されているいずれかの発信元装置から選択することができる。
【０１８１】
プレビュー領域３８２０には、出力先の装置である２つの表示装置（Monitor1、Monitor2）に表示される画面のプレビューが表示される。図示する例では、１つの表示装置において４つの画像がＰｉｎＰ表示されている。当該４つの画像は、発信元選択領域３８１０において選択された発信元装置から発信された表示情報に対応するものである。４つの画像のうち、１つはメイン画像として比較的大きく表示され、残りの３つはサブ画像として比較的小さく表示される。ユーザは、４つの画像が表示された領域を適宜選択することにより、メイン画像とサブ画像を入れ替えることができる。また、４つの画像が表示される領域の下部には、ステータス表示領域３８２１が設けられており、当該領域に手術に関するステータス（例えば、手術の経過時間や、患者の身体情報等）が適宜表示され得る。
【０１８２】
コントロール領域３８３０には、発信元の装置に対して操作を行うためのＧＵＩ（Graphical  User  Interface）部品が表示される発信元操作領域３８３１と、出力先の装置に対して操作を行うためのＧＵＩ部品が表示される出力先操作領域３８３３と、が設けられる。図示する例では、発信元操作領域３８３１には、撮像機能を有する発信元の装置におけるカメラに対して各種の操作（パン、チルト及びズーム）を行うためのＧＵＩ部品が設けられている。ユーザは、これらのＧＵＩ部品を適宜選択することにより、発信元の装置におけるカメラの動作を操作することができる。なお、図示は省略しているが、発信元選択領域３８１０において選択されている発信元の装置がレコーダである場合（すなわち、プレビュー領域３８２０において、レコーダに過去に記録された画像が表示されている場合）には、発信元操作領域３８３１には、当該画像の再生、再生停止、巻き戻し、早送り等の操作を行うためのＧＵＩ部品が設けられ得る。
【０１８３】
また、出力先操作領域３８３３には、出力先の装置である表示装置における表示に対する各種の操作（スワップ、フリップ、色調整、コントラスト調整、２Ｄ表示と３Ｄ表示の切り替え）を行うためのＧＵＩ部品が設けられている。ユーザは、これらのＧＵＩ部品を適宜選択することにより、表示装置における表示を操作することができる。
【０１８４】
なお、集中操作パネル３０１１に表示される操作画面は図示する例に限定されず、ユーザは、集中操作パネル３０１１を介して、手術室システム３０００に備えられる、視聴覚コントローラ３００７及び手術室制御装置３００９によって制御され得る各装置に対する操作入力が可能であってよい。
【０１８５】
図３０は、以上説明した手術室システムが適用された手術の様子の一例を示す図である。シーリングカメラ３７０１及び術場カメラ３７０３は、手術室の天井に設けられ、患者ベッド３５０３上の患者３５０５の患部に対して処置を行う術者（医者）３５０１の手元及び手術室全体の様子を撮影可能である。シーリングカメラ３７０１及び術場カメラ３７０３には、倍率調整機能、焦点距離調整機能、撮影方向調整機能等が設けられ得る。照明３７０５は、手術室の天井に設けられ、少なくとも術者３５０１の手元を照射する。照明３７０５は、その照射光量、照射光の波長（色）及び光の照射方向等を適宜調整可能であってよい。
【０１８６】
内視鏡手術システム３０５０、患者ベッド３５０３、シーリングカメラ３７０１、術場カメラ３７０３及び照明３７０５は、図２８に示すように、視聴覚コントローラ３００７及び手術室制御装置３００９（図３０では図示せず）を介して互いに連携可能に接続されている。手術室内には、集中操作パネル３０１１が設けられており、上述したように、ユーザは、当該集中操作パネル３０１１を介して、手術室内に存在するこれらの装置を適宜操作することが可能である。
【０１８７】
以下、内視鏡手術システム３０５０の構成について詳細に説明する。図示するように、内視鏡手術システム３０５０は、内視鏡３１００と、その他の術具３２００と、内視鏡３１００を支持する支持アーム装置３３００と、内視鏡下手術のための各種の装置が搭載されたカート３４００と、から構成される。
【０１８８】
内視鏡手術では、腹壁を切って開腹する代わりに、トロッカ３２０７ａ〜３２０７ｄと呼ばれる筒状の開孔器具が腹壁に複数穿刺される。そして、トロッカ３２０７ａ〜３２０７ｄから、内視鏡３１００の鏡筒３１０１や、その他の術具３２００が患者３５０５の体腔内に挿入される。図示する例では、その他の術具３２００として、気腹チューブ３２０１、エネルギー処置具３２０３及び鉗子３２０５が、患者３５０５の体腔内に挿入されている。また、エネルギー処置具３２０３は、高周波電流や超音波振動により、組織の切開及び剥離、又は血管の封止等を行う処置具である。ただし、図示する術具３２００はあくまで一例であり、術具３２００としては、例えば攝子、レトラクタ等、一般的に内視鏡下手術において用いられる各種の術具が用いられてよい。
【０１８９】
内視鏡３１００によって撮影された患者３５０５の体腔内の術部の画像が、表示装置３４０３に表示される。術者３５０１は、表示装置３４０３に表示された術部の画像をリアルタイムで見ながら、エネルギー処置具３２０３や鉗子３２０５を用いて、例えば患部を切除する等の処置を行う。
【０１９０】
なお、図示は省略しているが、気腹チューブ３２０１、エネルギー処置具３２０３及び鉗子３２０５は、手術中に、術者３５０１又は助手等によって支持される。あるいは、図示する例では、内視鏡３１００を支持する支持アーム装置３３００が１基のみ備えられているが、支持アーム装置３３００が複数備えられ、気腹チューブ３２０１、エネルギー処置具３２０３及び鉗子３２０５がその複数の支持アーム装置３３００のそれぞれによって支持されてもよい。
【０１９１】
（支持アーム装置）
支持アーム装置３３００は、ベース部３３０１から延伸するアーム部３３０３を備える。図示する例では、アーム部３３０３は、関節部３３０５ａ、３３０５ｂ、３３０５ｃ、及びリンク３３０７ａ、３３０７ｂから構成されており、アーム制御装置３４０７からの制御により駆動される。アーム部３３０３によって内視鏡３１００が支持され、その位置及び姿勢が制御される。これにより、内視鏡３１００の安定的な位置の固定が実現され得る。
【０１９２】
（内視鏡）
内視鏡３１００は、先端から所定の長さの領域が患者３５０５の体腔内に挿入される鏡筒３１０１と、鏡筒３１０１の基端に接続されるカメラヘッド３１０３と、から構成される。図示する例では、硬性の鏡筒３１０１を有するいわゆる硬性鏡として構成される内視鏡３１００を図示しているが、内視鏡３１００は、軟性の鏡筒３１０１を有するいわゆる軟性鏡として構成されてもよい。
【０１９３】
鏡筒３１０１の先端には、対物レンズが嵌め込まれた開口部が設けられている。内視鏡３１００には光源装置３４０５が接続されており、当該光源装置３４０５によって生成された光が、鏡筒３１０１の内部に延設されるライトガイドによって当該鏡筒の先端まで導光され、対物レンズを介して患者３５０５の体腔内の観察対象に向かって照射される。なお、内視鏡３１００は、直視鏡であってもよいし、斜視鏡又は側視鏡であってもよい。
【０１９４】
カメラヘッド３１０３の内部には光学系及び撮像素子が設けられており、観察対象からの反射光（観察光）は当該光学系によって当該撮像素子に集光される。当該撮像素子によって観察光が光電変換され、観察光に対応する電気信号、すなわち観察像に対応する画像信号が生成される。当該画像信号は、ＲＡＷデータとしてカメラコントロールユニット（ＣＣＵ：Camera  Control  Unit）３４０１に送信される。なお、カメラヘッド３１０３には、その光学系を適宜駆動させることにより、倍率及び焦点距離を調整する機能が搭載され得る。
【０１９５】
なお、例えば立体視（３Ｄ表示）等に対応するために、カメラヘッド３１０３には撮像素子が複数設けられてもよい。この場合、鏡筒３１０１の内部には、当該複数の撮像素子のそれぞれに観察光を導光するために、リレー光学系が複数系統設けられ得る。
【０１９６】
（カートに搭載される各種の装置）
ＣＣＵ３４０１は、ＣＰＵ（Central  Processing  Unit）やＧＰＵ（Graphics  Processing  Unit）等によって構成され、内視鏡３１００及び表示装置３４０３の動作を統括的に制御する。具体的には、ＣＣＵ３４０１は、カメラヘッド３１０３から受け取った画像信号に対して、例えば現像処理（デモザイク処理）等の、当該画像信号に基づく画像を表示するための各種の画像処理を施す。ＣＣＵ３４０１は、当該画像処理を施した画像信号を表示装置３４０３に提供する。また、ＣＣＵ３４０１には、図２８に示す視聴覚コントローラ３００７が接続される。ＣＣＵ３４０１は、画像処理を施した画像信号を視聴覚コントローラ３００７にも提供する。また、ＣＣＵ３４０１は、カメラヘッド３１０３に対して制御信号を送信し、その駆動を制御する。当該制御信号には、倍率や焦点距離等、撮像条件に関する情報が含まれ得る。当該撮像条件に関する情報は、入力装置３４０９を介して入力されてもよいし、上述した集中操作パネル３０１１を介して入力されてもよい。
【０１９７】
表示装置３４０３は、ＣＣＵ３４０１からの制御により、当該ＣＣＵ３４０１によって画像処理が施された画像信号に基づく画像を表示する。内視鏡３１００が例えば４Ｋ又は８Ｋ等の高解像度の撮影に対応したものである場合、及び／又は３Ｄ表示に対応したものである場合には、表示装置３４０３としては、それぞれに対応して、高解像度の表示が可能なもの、及び／又は３Ｄ表示可能なものが用いられ得る。
【０１９８】
光源装置３４０５は、例えばＬＥＤ（light  emitting  diode）等の光源から構成され、術部を撮影する際の照射光を内視鏡３１００に供給する。
【０１９９】
アーム制御装置３４０７は、例えばＣＰＵ等のプロセッサによって構成され、所定のプログラムに従って動作することにより、所定の制御方式に従って支持アーム装置３３００のアーム部３３０３の駆動を制御する。
【０２００】
入力装置３４０９は、内視鏡手術システム３０５０に対する入力インタフェースである。ユーザは、入力装置３４０９を介して、内視鏡手術システム３０５０に対して各種の情報の入力や指示入力を行うことができる。例えば、ユーザは、入力装置３４０９を介して、患者の身体情報や、手術の術式についての情報等、手術に関する各種の情報を入力する。また、例えば、ユーザは、入力装置３４０９を介して、アーム部３３０３を駆動させる旨の指示や、内視鏡３１００による撮像条件（照射光の種類、倍率及び焦点距離等）を変更する旨の指示等を入力する。
【０２０１】
入力装置３４０９の種類は限定されず、入力装置３４０９は各種の公知の入力装置であってよい。入力装置３４０９としては、例えば、マウス、キーボード、タッチパネル、スイッチ、フットスイッチ３４１９及び／又はレバー等が適用され得る。入力装置３４０９としてタッチパネルが用いられる場合には、当該タッチパネルは表示装置３４０３の表示面上に設けられてもよい。
【０２０２】
あるいは、入力装置３４０９は、例えばメガネ型のウェアラブルデバイスやＨＭＤ（Head  Mounted  Display）等の、ユーザによって装着されるデバイスであってもよく、これらのデバイスによって検出されるユーザのジェスチャや視線に応じて各種の入力が行われてもよい。あるいは、入力装置３４０９は、ユーザの動きを検出可能なカメラであってもよい。当該カメラによって撮像された映像から検出されるユーザのジェスチャや視線に応じて各種の入力が行われ得る。あるいは、入力装置３４０９は、ユーザの声を収音可能なマイクロフォンであってもよい。当該マイクロフォンを介して音声によって各種の入力が行われ得る。このように、入力装置３４０９が非接触で各種の情報を入力可能に構成されることにより、特に清潔域に属するユーザ（例えば術者３５０１）が、不潔域に属する機器を非接触で操作することが可能となる。また、ユーザは、所持している術具から手を離すことなく機器を操作することが可能となるため、ユーザの利便性が向上する。
【０２０３】
処置具制御装置３４１１は、組織の焼灼、切開又は血管の封止等のためのエネルギー処置具３２０３の駆動を制御する。気腹装置３４１３は、内視鏡３１００による視野の確保及び術者の作業空間の確保の目的で、患者３５０５の体腔を膨らめるために、気腹チューブ３２０１を介して当該体腔内にガスを送り込む。レコーダ３４１５は、手術に関する各種の情報を記録可能な装置である。プリンタ３４１７は、手術に関する各種の情報を、テキスト、画像又はグラフ等各種の形式で印刷可能な装置である。
【０２０４】
以下、内視鏡手術システム３０５０において特に特徴的な構成について、更に詳細に説明する。
【０２０５】
（カメラヘッド及びＣＣＵ）
図３１を参照して、内視鏡３１００のカメラヘッド３１０３及びＣＣＵ３４０１の機能についてより詳細に説明する。図３１は、図３０に示すカメラヘッド３１０３及びＣＣＵ３４０１の機能構成の一例を示すブロック図である。
【０２０６】
図３１を参照すると、カメラヘッド３１０３は、その機能として、レンズユニット３１０５と、撮像部３１０７と、駆動部３１０９と、通信部３１１１と、カメラヘッド制御部３１１３と、を有する。また、ＣＣＵ３４０１は、その機能として、通信部３４２１と、画像処理部３４２３と、制御部３４２５と、を有する。カメラヘッド３１０３とＣＣＵ３４０１とは、伝送ケーブル３４２７によって互いに通信可能に接続されている。
【０２０７】
まず、カメラヘッド３１０３の機能構成について説明する。レンズユニット３１０５は、鏡筒３１０１との接続部に設けられる光学系である。鏡筒３１０１の先端から取り込まれた観察光は、カメラヘッド３１０３まで導光され、当該レンズユニット３１０５に入射する。レンズユニット３１０５は、ズームレンズ及びフォーカスレンズを含む複数のレンズが組み合わされて構成される。レンズユニット３１０５は、撮像部３１０７の撮像素子の受光面上に観察光を集光するように、その光学特性が調整されている。また、ズームレンズ及びフォーカスレンズは、撮像画像の倍率及び焦点の調整のため、その光軸上の位置が移動可能に構成される。
【０２０８】
撮像部３１０７は撮像素子によって構成され、レンズユニット３１０５の後段に配置される。レンズユニット３１０５を通過した観察光は、当該撮像素子の受光面に集光され、光電変換によって、観察像に対応した画像信号が生成される。撮像部３１０７によって生成された画像信号は、通信部３１１１に提供される。
【０２０９】
撮像部３１０７を構成する撮像素子としては、例えばＢａｙｅｒ配列を有するカラー撮影可能なものが用いられる。当該撮像素子は、ＣＭＯＳ（Complementary  Metal  Oxide  Semiconductor）イメージセンサ又はＣＣＤ（Charge  Coupled  Device）イメージセンサ等、各種の公知の撮像素子であってよい。
【０２１０】
なお、撮像部３１０７を構成する撮像素子としては、例えば４Ｋ以上の高解像度の画像の撮影に対応可能なものが用いられてもよい。術部の画像が高解像度で得られることにより、術者３５０１は、当該術部の様子をより詳細に把握することができ、手術をより円滑に進行することが可能となる。
【０２１１】
また、撮像部３１０７を構成する撮像素子は、１つ（いわゆる単板式）であってもよいし、複数（いわゆる多板式）であってもよい。撮像部３１０７が多板式で構成される場合には、例えば各撮像素子によってＲＧＢそれぞれに対応する画像信号が生成され、それらが合成されることによりカラー画像が得られてもよい。あるいは、撮像部３１０７は、３Ｄ表示に対応する右目用及び左目用の画像信号をそれぞれ取得するための１対の撮像素子を有するように構成されてもよい。３Ｄ表示が行われることにより、術者３５０１は術部における生体組織の奥行きをより正確に把握することが可能になる。なお、撮像部３１０７が多板式で構成される場合には、各撮像素子に対応して、レンズユニット３１０５も複数系統設けられ得る。
【０２１２】
また、撮像部３１０７は、必ずしもカメラヘッド３１０３に設けられなくてもよい。例えば、撮像部３１０７は、鏡筒３１０１の内部に、対物レンズの直後に設けられてもよい。
【０２１３】
駆動部３１０９は、アクチュエータによって構成され、カメラヘッド制御部３１１３からの制御により、レンズユニット３１０５のズームレンズ及びフォーカスレンズを光軸に沿って所定の距離だけ移動させる。これにより、撮像部３１０７による撮像画像の倍率及び焦点が適宜調整され得る。
【０２１４】
通信部３１１１は、ＣＣＵ３４０１との間で各種の情報を送受信するための通信装置によって構成される。通信部３１１１は、撮像部３１０７から得た画像信号をＲＡＷデータとして伝送ケーブル３４２７を介してＣＣＵ３４０１に送信する。この際、術部の撮像画像を低レイテンシで表示するために、当該画像信号は光通信によって送信されることが好ましい。手術の際には、術者３５０１が撮像画像によって患部の状態を観察しながら手術を行うため、より安全で確実な手術のためには、術部の動画像が可能な限りリアルタイムに表示されることが求められるからである。光通信が行われる場合には、通信部３１１１には、電気信号を光信号に変換する光電変換モジュールが設けられる。画像信号は当該光電変換モジュールによって光信号に変換された後、伝送ケーブル３４２７を介してＣＣＵ３４０１に送信される。
【０２１５】
また、通信部３１１１は、ＣＣＵ３４０１から、カメラヘッド３１０３の駆動を制御するための制御信号を受信する。当該制御信号には、例えば、撮像画像のフレームレートを指定する旨の情報、撮像時の露出値を指定する旨の情報、並びに／又は撮像画像の倍率及び焦点を指定する旨の情報等、撮像条件に関する情報が含まれる。通信部３１１１は、受信した制御信号をカメラヘッド制御部３１１３に提供する。なお、ＣＣＵ３４０１からの制御信号も、光通信によって伝送されてもよい。この場合、通信部３１１１には、光信号を電気信号に変換する光電変換モジュールが設けられ、制御信号は当該光電変換モジュールによって電気信号に変換された後、カメラヘッド制御部３１１３に提供される。
【０２１６】
なお、上記のフレームレートや露出値、倍率、焦点等の撮像条件は、ユーザによって適宜指定されてもよいし、取得された画像信号に基づいてＣＣＵ３４０１の制御部３４２５によって自動的に設定されてもよい。後者の場合には、いわゆるＡＥ（Auto  Exposure）機能、ＡＦ（Auto  Focus）機能及びＡＷＢ（Auto  White  Balance）機能が内視鏡３１００に搭載されていることになる。
【０２１７】
カメラヘッド制御部３１１３は、通信部３１１１を介して受信したＣＣＵ３４０１からの制御信号に基づいて、カメラヘッド３１０３の駆動を制御する。例えば、カメラヘッド制御部３１１３は、撮像画像のフレームレートを指定する旨の情報及び／又は撮像時の露光を指定する旨の情報に基づいて、撮像部３１０７の撮像素子の駆動を制御する。また、例えば、カメラヘッド制御部３１１３は、撮像画像の倍率及び焦点を指定する旨の情報に基づいて、駆動部３１０９を介してレンズユニット３１０５のズームレンズ及びフォーカスレンズを適宜移動させる。
【０２１８】
次に、ＣＣＵ３４０１の機能構成について説明する。通信部３４２１は、カメラヘッド３１０３との間で各種の情報を送受信するための通信装置によって構成される。通信部３４２１は、カメラヘッド３１０３から、伝送ケーブル３４２７を介して送信される画像信号を受信する。この際、上記のように、当該画像信号は好適に光通信によって送信され得る。この場合、光通信に対応して、通信部３４２１には、光信号を電気信号に変換する光電変換モジュールが設けられる。通信部３４２１は、電気信号に変換した画像信号を画像処理部３４２３に提供する。
【０２１９】
また、通信部３４２１は、カメラヘッド３１０３に対して、カメラヘッド３１０３の駆動を制御するための制御信号を送信する。当該制御信号も光通信によって送信されてよい。
【０２２０】
画像処理部３４２３は、カメラヘッド３１０３から送信されたＲＡＷデータである画像信号に対して各種の画像処理を施す。当該画像処理としては、例えば現像処理、高画質化処理（帯域強調処理、超解像処理、ＮＲ（Noise  reduction）処理及び／又は手ブレ補正処理等）、並びに／又は拡大処理（電子ズーム処理）等、各種の公知の信号処理が行われてよい。また、内視鏡３１００にＡＥ機能、ＡＦ機能及びＡＷＢ機能が搭載されている場合には、画像処理部３４２３は、当該ＡＥ、ＡＦ及びＡＷＢを行うための、画像信号に対する検波処理を行ってもよい。
【０２２１】
画像処理部３４２３は、ＣＰＵやＧＰＵ等のプロセッサによって構成され、当該プロセッサが所定のプログラムに従って動作することにより、上述した画像処理や検波処理が行われ得る。なお、画像処理部３４２３が複数のＧＰＵによって構成される場合には、画像処理部３４２３は、画像信号に係る情報を適宜分割し、これら複数のＧＰＵによって並列的に画像処理を行ってもよい。
【０２２２】
制御部３４２５は、内視鏡３１００による術部の撮像、及びその撮像画像の表示に関する各種の制御を行う。例えば、制御部３４２５は、カメラヘッド３１０３の駆動を制御するための制御信号を生成する。この際、撮像条件がユーザによって入力されている場合には、制御部３４２５は、当該ユーザによる入力に基づいて制御信号を生成する。あるいは、内視鏡３１００にＡＥ機能、ＡＦ機能及びＡＷＢ機能が搭載されている場合には、制御部３４２５は、画像処理部３４２３による検波処理の結果に応じて、最適な露出値、焦点距離及びホワイトバランスを適宜算出し、制御信号を生成する。なお、ＡＥ機能、ＡＦ機能及びＡＷＢ機能に係る制御値の算出方法としては、各種の公知の方法が用いられてよい。
【０２２３】
また、制御部３４２５は、画像処理部３４２３によって画像処理が施された画像信号に基づいて、術部の画像を表示装置３４０３に表示させる。この際、制御部３４２５は、各種の画像認識技術を用いて術部画像内における各種の物体を認識してもよい。例えば、制御部３４２５は、術部画像に含まれる物体のエッジの形状や色等を検出することにより、鉗子等の術具、特定の生体部位、出血、エネルギー処置具３２０３使用時のミスト等を認識することができる。制御部３４２５は、表示装置３４０３に術部の画像を表示させる際に、その認識結果を用いて、各種の手術支援情報を当該術部の画像に重畳表示させてもよい。手術支援情報が重畳表示され、術者３５０１に提示されることにより、より安全かつ確実に手術を進めることが可能になる。
【０２２４】
カメラヘッド３１０３及びＣＣＵ３４０１を接続する伝送ケーブル３４２７は、電気信号の通信に対応した電気信号ケーブル、光通信に対応した光ファイバ、又はこれらの複合ケーブルである。
【０２２５】
ここで、図示する例では、伝送ケーブル３４２７を用いて有線で通信が行われていたが、カメラヘッド３１０３とＣＣＵ３４０１との間の通信は無線で行われてもよい。両者の間の通信が無線で行われる場合には、伝送ケーブル３４２７を手術室内に敷設する必要がなくなるため、手術室内における医療スタッフの移動が当該伝送ケーブル３４２７によって妨げられる事態が解消され得る。
【０２２６】
以上、本開示に係る技術が適用され得る手術室システム３０００の一例について説明した。本開示に係る技術は、以上説明した構成のうち、視聴覚コントローラ３００７に好適に適用され得る。具体的には、視聴覚コントローラ３００７に、表示装置３００３Ｂ、集中操作パネル３０１１などに送信する複数のビデオ信号（画像信号）を光多重信号として出力する出力端子を設ける。視聴覚コントローラ３００７に本開示に係る技術を適用することにより、表示装置３００３Ｂ、集中操作パネル３０１１に、複数のビデオ信号（画像信号）を供給することを効率的に行い得る。
【０２２７】
なお、ここでは、一例として手術室システム３０００に適用される医療用システムが内視鏡手術システム３０５０である場合について説明したが、手術室システム３０００の構成はかかる例に限定されない。例えば、手術室システム３０００には、内視鏡手術システム３０５０に代えて、顕微鏡手術システムが適用されてもよい。
【符号の説明】
【０２２８】
１０・・・放送システム
１１ａ・・・キーソースバス
１１ｂ・・・キーフィルバス
１３ａ・・・背景Ａバス
１３ｂ・・・背景Ｂバス
１４・・・予備入力バス
１７・・・プログラム出力ライン
１８・・・プレビュー出力ライン
５１・・・キー・プロセッサ
５５・・・ミキサ
６１・・・ビデオ・プロセッサ
１０１・・・セクタ
１０２・・・グローバル・メンテナンス・センタ
１０３・・・システム・メンテナンス・コンピュータ
１０４・・・リモート・ターミナル
１０５・・・システム・ゲートウェイ
１０６・・・エクスターナル・システム
１０７・・・エフェクト・サーバ
１０８・・・ビデオ・サーバ
１０８ａ・・・ストレージ
１０８ｂ・・・ビデオ回路
１１１・・・イマージェンシー・スイッチ
１１２・・・マルチ・ビューワ・プロセッサ
１１２ａ・・・制御端子
１１３・・・ビジョン・ミキサ・メイン・フレーム
１１４・・・ビデオ・プロセッサ
１１５・・・ビジョン・ミキサ・コントローラ
１１５ａ・・・ストレージ
１１５ａ・・・ストレージ
１１５ｂ・・・ビデオ・フレーム・メモリ
１１５ｃ・・・マイクロコンピュータ
１１５ｄ・・・ビデオ出力回路
１１６・・・コントロール・パネル
１１７・・・ＧＵＩ・パネル
１２１・・・ＷＤＭ光電変換器
１２２・・・カメラ
１２３・・・ビデオ・プロセッサ
１２４．１２５・・・ネットワーク・スイッチングハブ
１２６・・・電光変換器
１２７・・・ブロードキャスト・マスタ・システム
１２８・・・ディスプレイ
１３１・・・ビデオ・ミキシング回路
１３２・・・ＩＰ-ＳＤＩ入力部
１３３・・・ＩＰ-Ｓｙｎｃ入力部
１３４・・・ＩＰ-ＳＤＩ出力部
１３５・・・ＩＰ-Ｓｙｎｃ出力部
１３６．１３７・・・ＷＤＭ電光変換器
１４１・・・ＩＰ-ＳＤＩ出力部
１４２・・・ネットワーク・スイッチングハブ
１４３・・・ＩＰ-ＳＤＩ入力部
２０１・・・入力ブロック
２０２・・・出力ブロック
２０３〜２０９・・・出力バス
【図１】
2017118289.tif 000003
【図２】
2017118289.tif 000004
【図３】
2017118289.tif 000005
【図４】
2017118289.tif 000006
【図５】
2017118289.tif 000007
【図６】
2017118289.tif 000008
【図７】
2017118289.tif 000009
【図８】
2017118289.tif 000010
【図９】
2017118289.tif 000011
【図１０】
2017118289.tif 000012
【図１１】
2017118289.tif 000013
【図１２】
2017118289.tif 000014
【図１３】
2017118289.tif 000015
【図１４】
2017118289.tif 000016
【図１５】
2017118289.tif 000017
【図１６】
2017118289.tif 000018
【図１７】
2017118289.tif 000019
【図１８】
2017118289.tif 000020
【図１９】
2017118289.tif 000021
【図２０】
2017118289.tif 000022
【図２１】
2017118289.tif 000023
【図２２】
2017118289.tif 000024
【図２３】
2017118289.tif 000025
【図２４】
2017118289.tif 000026
【図２５】
2017118289.tif 000027
【図２６】
2017118289.tif 000028
【図２７】
2017118289.tif 000029
【図２８】
2017118289.tif 000030
【図２９】
2017118289.tif 000031
【図３０】
2017118289.tif 000032
【図３１】
2017118289.tif 000033